(57)【特許請求の範囲】
【請求項１】
ワイヤロープのループ部基端とすべき位置において、撚られた各ストランドの間に６組の束ストランドをそれぞれ別々にワイヤロープの撚り方向と逆の方向に差し込んでワイヤロープ周面から突出させる編み込み作業のかご差しを行う第１編み込み工程と、
前記第１編み込み工程には、撚られた各ストランドの間に差し込んだ前記６組の束ストランドをそれぞれ別々にワイヤロープの撚り方向と同じ方向に差し込んでワイヤロープ周面から突出させる編み込み作業を行う巻差しを行う工程を含み、
第１編み込み工程終了後に、突出した６組の各束ストランドの先端を更にそれぞれ２組の細束に分別して第１細束と第２細束とした１２組の細束ストランドを形成する細束ストランド形成工程と、
細束ストランド形成工程終了後に、第１細束よりなる６組の細束ストランドの突出先端を切断する第１細束切断工程と、
第１細束切断工程終了後に、切断した第１細束である６組の細束ストランドの先端をワイヤロープの撚り束ストランドの中心に形成された芯部領域中心に押込む第１細束先端押込み工程と、
第１細束先端押込み工程終了後に、第２細束よりなる６組の細束ストランドをワイヤロープの撚られた各ストランドの間にワイヤロープの撚り方向と逆の方向に差し込んでワイヤロープ周面から突出させる編み込み作業のかご差しを行う第１半差し編み込み工程と、
第１半差し編み込み工程終了後に、突出した第２細束たる６組の各細束ストランドの突出先端を切断する第２細束切断工程と、
第２細束切断工程終了後に、切断した第２細束たる６組の細束ストランドの先端を、ワイヤロープの撚りストランドの中心の芯部領域の空隙中に押込む第２細束先端押込み工程とよりなる
ことを特徴とするトゲのないワイヤロープの玉掛索製造方法。
【請求項２】
予め折り曲げられたワイヤロープ本体の自由端をストランド毎にばらばらに解舒してワイヤロープ先端部分に６組の束ストランドを形成する束ストランド形成工程と、その後、６組の束ストランドを２組に分けて第１組束ストランドと第２組束ストランドとし、第１組束ストランドは、ワイヤロープの撚り方向に差し込み、第２組束ストランドはワイヤロープの撚り方向と逆方向に差し込む準備差し込み工程を設け、
ワイヤロープのループ部基端とすべき位置において、撚られた各ストランドの間に６組の束ストランドをそれぞれ別々にワイヤロープの撚り方向と逆の方向に差し込んでワイヤロープ周面から突出させる編み込み作業のかご差しを行う第１編み込み工程と、
第１編み込み工程終了後に、突出した６組の各束ストランドの先端を更にそれぞれ２組の細束に分別して第１細束と第２細束とした１２組の細束ストランドを形成する細束ストランド形成工程と、
細束ストランド形成工程終了後に、第１細束よりなる６組の細束ストランドの突出先端を切断する第１細束切断工程と、
第１細束切断工程終了後に、切断した第１細束である６組の細束ストランドの先端をワイヤロープの撚り束ストランドの中心に形成された芯部領域中心に押込む第１細束先端押込み工程と、
第１細束先端押込み工程終了後に、第２細束よりなる６組の細束ストランドをワイヤロープの撚られた各ストランドの間にワイヤロープの撚り方向と逆の方向に差し込んでワイヤロープ周面から突出させる編み込み作業のかご差しを行う第１半差し編み込み工程と、
第１半差し編み込み工程終了後に、突出した第２細束たる６組の各細束ストランドの突出先端を切断する第２細束切断工程と、
第２細束切断工程終了後に、切断した第２細束たる６組の細束ストランドの先端を、ワイヤロープの撚りストランドの中心の芯部領域の空隙中に押込む第２細束先端押込み工程とよりなる
ことを特徴とするトゲのないワイヤロープの玉掛索製造方法。
【請求項３】
前記第１編み込み工程の前に、予め折り曲げられたワイヤロープ本体の自由端をストランド毎にばらばらに解舒してワイヤロープ先端部分に６組の束ストランドを形成する束ストランド形成工程と、その後、６組の束ストランドを２組に分けて第１組束ストランドと第２組束ストランドとし、第１組束ストランドは、ワイヤロープの撚り方向に差し込み、第２組束ストランドはワイヤロープの撚り方向と逆方向に差し込む準備差し込み工程を設けた
ことを特徴とする請求項１に記載のトゲのないワイヤロープの玉掛索製造方法。
【請求項４】
第１半差し編み込み工程の後に、第２細束を第３細束と第４細束の２組に分けて、第３細束の先端を切断し、その先端をワイヤロープの撚りストランドの中心の芯部領域の空隙中に押込むと共に、第４細束の細束ストランドをワイヤロープの撚られた各ストランドの間にワイヤロープの撚り方向と逆の方向に差し込んでワイヤロープ周面から突出させる編み込み作業のかご差しを行う第２半差し編み込み工程と、
第２半差し編み込み工程の後に、第４細束を第５細束と第６細束の２組に分け、第５細束の先端を切断し、その先端をワイヤロープの撚りストランドの中心の芯部領域の空隙中に押込むと共に、第６細束をワイヤロープの撚られた各ストランドの間にワイヤロープの撚り方向と逆の方向に差し込んでワイヤロープ周面から突出させる編み込み作業のかご差しを行う第３半差し編み込み工程と、
第３半差し編み込み工程の後に、第６細束の先端を切断し、その先端をワイヤロープの撚りストランドの中心の芯部領域の空隙中に押込む最終細束先端押込み工程よりなる
ことを特徴とする請求項１から３の何れか１項に記載のトゲのないワイヤロープの玉掛索製造方法。
【請求項５】
前記第１細束は各束ストランドを形成している内層線とし、前記第２細束から前記第６細束は各束ストランドを形成している外層線としてなる
ことを特徴とする請求項４に記載のトゲのないワイヤロープの玉掛索製造方法。
【請求項６】
前記第１細束は各束ストランドを形成している外層線とし、前記第２細束から前記第６細束は各束ストランドを形成している内層線としてなる
ことを特徴とする請求項４に記載のトゲのないワイヤロープの玉掛索製造方法。
【請求項７】
請求項１〜６の何れか１項に記載のトゲのないワイヤロープの玉掛索製造方法により製造したトゲのないワイヤロープの玉掛索。
【発明の詳細な説明】
【技術分野】
【０００１】
この発明は、ワイヤロープの端部側を輪状に丸く折り曲げてその折り曲げた端部の自由端をワイヤロープに連設固定してワイヤロープの先端にループ状の玉掛索を形成するトゲのないワイヤロープの玉掛索製造方法及びトゲのないワイヤロープの玉掛索に関する。
【背景技術】
【０００２】
従来、金属製のワイヤロープは、数本ごとに金属素線を撚って形成したストランドという素線の束を更に多数撚ってロープとなるように構成している。
【０００３】
そして、かかるワイヤロープを突起物に係合するためにはワイヤロープの先端に輪状のループ部を形成してこのループ部を突起物に係合する。
【０００４】
従って、金属ワイヤロープの先端にはかかるループ部を形成して使用されることが多く、このループ形状を玉掛索と言っている（例えば、特許文献１参照）。
【０００５】
このようにループ部の玉掛索を形成する方法としては、まず、曲げられたワイヤロープの自由端をストランドの束毎に、すなわち、数本の金属素線を撚って形成した金属束毎にばらばらに解舒する。
【０００６】
次いで、ワイヤロープのループ基端とすべき位置において鋭利なスパイキと呼ばれる針部材で撚られた各束ストランドの間に隙間をこじ開けて先ほどのばらばらにしたストランドのうちの一束目のストランドを差し込んで隙間から挿通する。
【０００７】
このようにして、ばらばらにした各束ストランドを同じ様にして撚りストランドの異なる隙間に通していき、最終的には、すべてのばらばらにした各ストランドの自由端を、ワイヤロープのループ基端となるべき位置において形成されたストランド間隙に挿通する。これを数回繰り返すことを丸差し作業と称する。
【０００８】
かかる丸差し作業が行われた後に間隙を挿通して突出した各束ストランド先端部を更に２組の細束に分岐し、その１組目の細束ストランドはワイヤロープ表面から所望の長さで切断すると共に、切断しない他の組の細束ストランドはそれぞれ異なるストランド間隙に挿通する。これを数回繰り返すことを半差し作業と称する。
【０００９】
このようにして数回のストランド挿通作業を完了し間隙から突出した自由端を切断していくことによりワイヤロープのループ基端の連設固定作業を完了しループ状の玉掛索が出来上がる（例えば、特許文献１参照）。
【００１０】
すなわち、従来の手編み玉掛索の製作に使用されるワイヤロープは、心綱とその周囲に６組のストランドを六角状に配しこれを螺旋状に撚り込んで作られており、また、各ストランドは、内部側を構成する複数のワイヤ素線の束とから構成されている。
【００１１】
一般に、ワイヤロープを用いて手編み玉掛索を製作する場合において、ワイヤロープの先端を折り返してループ状とする所謂アイ加工では、法規で定められた基準を守って、例えば、かご差しや巻差しなどと呼ばれる特定の編み込み方法を用いて作られる。
【００１２】
折り返した先端側をワイヤロープを構成する６組の束ストランドと心綱とをバラバラに分け、先端部分が折り返される基側、すなわち、ループ部基端となるべき位置において撚り込まれた各撚りストランドの間に決められた順序で各ばらばらにした束ストランドの先端を通し決まった間から抜き出す。
【００１３】
ループ部基端においてワイヤロープの本線表面から抜き出た６組のばらばらにした束ストランドの先端側を、編み込み方法の種類によって決まった順序で、撚りストランドの特定の間から通して、別の特定の間から抜き出す作業を最低３回以上繰り返す。
【００１４】
３回以上繰り返した後、本線の表面から外部に出ている６組のばらばらの各ストランドの先端側を、各組毎に更に外層線の細束ストランドと内層線の細束ストランドとにそれぞれ識別して、二つの組に細分化し１２組の細束ストランド先端自由端部を形成し、ワイヤロープの表面から外部に出ている６組の各内層線の細束ストランドのみをワイヤロープの表面位置で切断する。
【００１５】
また、切断しなかった６組の各外層線の細束を前記の編み込み方法の種類に決まっている順序で、ワイヤロープの螺旋状に撚り込まれたストランドの特定の間から通して、別の特定の間から抜き出す作業を最低２回以上繰り返す（これを「半差し作業」という）。その後、ワイヤロープの表面から外部に出ている６組の各外層線の細束ストランドをワイヤロープの表面位置で切断する。
【００１６】
なお、各束ストランド又は各外層線の細束ストランドをどの間から通して他のどの間から抜き出すかのこれらの作業手順は、編み込み方法の種類で決まっている。また、各工程の途中ではワイヤロープ表面はハンマで軽く均される。
【００１７】
従来はこのような方法によりワイヤロープを用いて手編み玉掛索が作られている。
【先行技術文献】
【特許文献】
【００１８】
【特許文献１】特開２００６−２９１３８７号公報
【発明の概要】
【発明が解決しようとする課題】
【００１９】
しかしながら、従来の一般的な玉掛索の形成作業では、ワイヤロープの表面位置で切断された各内層線や各外層線の細束ストランドは、複数の強度のあるワイヤ素線の集まりであるため、その切断部分の所謂トゲは鋭利になっており、トゲに手が直接触ると手の表面を切ったりして非常に危険である。しかも、トゲの箇所は６個の細束の内層線で６箇所、６個の細束の外層線も６箇所あり、分岐した１２個の細束ストランドにより合計１２箇所のトゲの箇所がワイヤロープの本線表面に分散しており、このため、ワイヤロープのループ部基端表面を掴む場合には手袋をはめないと危険であった。
【００２０】
また、従来の手編み玉掛索においては、内層線及び外層線の細束は当初は本線表面のぎりぎりの位置で切断されているが、トゲの箇所が分散されている本線部分を何回も折り曲げたりするうちに、トゲが本線表面から次第に一部突出し、突出するトゲは場合によっては手袋を裂いて手を切ることもあり、非常に危険であった。
【００２１】
このように玉掛索における最大の問題は、ばらばらにした複数の束ストランドの自由端をスパイキで形成した撚りストランドの間隙から挿通して引出し先端を切断するため、ワイヤロープ周面から切断部分が突出し作業中に解舒ストランドの切断部分先端が鋭利となり作業中に作業員がケガするという危険があり、更には、最終的に完成した玉掛索のループ基端にストランドの切断自由端が突出しているためワイヤロープの玉掛索を使用する使用者にも非常に危険であったということにある。
【００２２】
例えば、ストランドの突出自由端がワイヤロープ周面から突出しないような玉掛索の形成方法が特許文献１に記載されている。
【００２３】
すなわち、手編み玉掛索の本線表面に現れる所謂トゲと呼ばれるワイヤ素線の切断端面がワイヤロープの表面に現れないようにして、手編み玉掛索の本線の表面に現れる切断端面の所謂トゲによって手が切れたりするのを確実に防いで安全性を高めることのできる手編み玉掛索の製作法が出願されている（特許文献１）。
【００２４】
かかる特許文献１に記載された玉掛索の製造方法は、束ストランドの切断先端、いわゆるトゲがワイヤロープ周面から突出しないようにワイヤロープの中心部に形成された芯部空隙に押込む技術が開示されているが、ワイヤロープの玉掛索の使用中に徐々に押込まれたトゲが撚りストランドの間からワイヤロープ周面に突出するおそれがあった。その原因は、差し込まれる束ストランドがワイヤロープの撚りに対して常に一定の撚り方向、例えば、逆の方向のかご差し方法を半差し後に１回のみ差し込んで編み込むためであり、撚りストランドと差し込まれた束ストランドによる編み込みにより形成される芯部空隙が弛緩してワイヤロープ周面にまで出てきて、閉塞空間にできないことによると考えられる。
【００２５】
そこで、本願の発明者は、玉掛索のループ基端に最後に挿通したストランドの自由端がワイヤロープの使用中に徐々に表面から突出しないようにしてワイヤロープの使用者の安全を確保できるトゲのないワイヤロープの玉掛索製造方法を開発した。
【００２６】
すなわち、本願発明は、ループ基端のワイヤロープ表面にストランドの自由端が突出することなく一定の品質を維持しながら端部側に玉掛索を形成したワイヤロープを製作することのできるワイヤロープの玉掛索製造方法及びトゲのないワイヤロープの玉掛索を提供することを目的とする。
【課題を解決するための手段】
【００２７】
上記目的を達成するために、請求項１に記載の発明は、ワイヤロープのループ部基端とすべき位置において、撚られた各ストランドの間に６組の束ストランドをそれぞれ別々にワイヤロープの撚り方向と逆の方向に差し込んでワイヤロープ周面から突出させる編み込み作業のかご差しを行う第１編み込み工程と、前記第１編み込み工程には、撚られた各ストランドの間に差し込んだ前記６組の束ストランドをそれぞれ別々にワイヤロープの撚り方向と同じ方向に差し込んでワイヤロープ周面から突出させる編み込み作業を行う巻差しを行う工程を含み、第１編み込み工程終了後に、突出した６組の各束ストランドの先端を更にそれぞれ２組の細束に分別して第１細束と第２細束とした１２組の細束ストランドを形成する細束ストランド形成工程と、細束ストランド形成工程終了後に、第１細束よりなる６組の細束ストランドの突出先端を切断する第１細束切断工程と、第１細束切断工程終了後に、切断した第１細束である６組の細束ストランドの先端をワイヤロープの撚り束ストランドの中心に形成された芯部領域中心に押込む第１細束先端押込み工程と、第１細束先端押込み工程終了後に、第２細束よりなる６組の細束ストランドをワイヤロープの撚られた各ストランドの間にワイヤロープの撚り方向と逆の方向に差し込んでワイヤロープ周面から突出させる編み込み作業のかご差しを行う第１半差し編み込み工程と、第１半差し編み込み工程終了後に、突出した第２細束たる６組の各細束ストランドの突出先端を切断する第２細束切断工程と、第２細束切断工程終了後に、切断した第２細束たる６組の細束ストランドの先端を、ワイヤロープの撚りストランドの中心の芯部領域の空隙中に押込む第２細束先端押込み工程とよりなるトゲのないワイヤロープの玉掛索製造方法とした。
【００２８】
請求項２に記載の発明は、予め折り曲げられたワイヤロープ本体の自由端をストランド毎にばらばらに解舒してワイヤロープ先端部分に６組の束ストランドを形成する束ストランド形成工程と、その後、６組の束ストランドを２組に分けて第１組束ストランドと第２組束ストランドとし、第１組束ストランドは、ワイヤロープの撚り方向に差し込み、第２組束ストランドはワイヤロープの撚り方向と逆方向に差し込む準備差し込み工程を設け、ワイヤロープのループ部基端とすべき位置において、撚られた各ストランドの間に６組の束ストランドをそれぞれ別々にワイヤロープの撚り方向と逆の方向に差し込んでワイヤロープ周面から突出させる編み込み作業のかご差しを行う第１編み込み工程と、第１編み込み工程終了後に、突出した６組の各束ストランドの先端を更にそれぞれ２組の細束に分別して第１細束と第２細束とした１２組の細束ストランドを形成する細束ストランド形成工程と、細束ストランド形成工程終了後に、第１細束よりなる６組の細束ストランドの突出先端を切断する第１細束切断工程と、第１細束切断工程終了後に、切断した第１細束である６組の細束ストランドの先端をワイヤロープの撚り束ストランドの中心に形成された芯部領域中心に押込む第１細束先端押込み工程と、第１細束先端押込み工程終了後に、第２細束よりなる６組の細束ストランドをワイヤロープの撚られた各ストランドの間にワイヤロープの撚り方向と逆の方向に差し込んでワイヤロープ周面から突出させる編み込み作業のかご差しを行う第１半差し編み込み工程と、第１半差し編み込み工程終了後に、突出した第２細束たる６組の各細束ストランドの突出先端を切断する第２細束切断工程と、第２細束切断工程終了後に、切断した第２細束たる６組の細束ストランドの先端を、ワイヤロープの撚りストランドの中心の芯部領域の空隙中に押込む第２細束先端押込み工程とよりなるトゲのないワイヤロープの玉掛索製造方法とした。
【００２９】
請求項３に記載の発明は、請求項１に記載の発明において、前記第１編み込み工程の前に、予め折り曲げられたワイヤロープ本体の自由端をストランド毎にばらばらに解舒してワイヤロープ先端部分に６組の束ストランドを形成する束ストランド形成工程と、その後、６組の束ストランドを２組に分けて第１組束ストランドと第２組束ストランドとし、第１組束ストランドは、ワイヤロープの撚り方向に差し込み、第２組束ストランドはワイヤロープの撚り方向と逆方向に差し込む準備差し込み工程を設けたトゲのないワイヤロープの玉掛索製造方法とした。
【００３１】
請求項４に記載の発明は、請求項１から３の何れか１項に記載の発明において、第１半差し編み込み工程の後に、第２細束を第３細束と第４細束の２組に分けて、第３細束の先端を切断し、その先端をワイヤロープの撚りストランドの中心の芯部領域の空隙中に押込むと共に、第４細束の細束ストランドをワイヤロープの撚られた各ストランドの間にワイヤロープの撚り方向と逆の方向に差し込んでワイヤロープ周面から突出させる編み込み作業のかご差しを行う第２半差し編み込み工程と、第２半差し編み込み工程の後に、第４細束を第５細束と第６細束の２組に分け、第５細束の先端を切断し、その先端をワイヤロープの撚りストランドの中心の芯部領域の空隙中に押込むと共に、第６細束をワイヤロープの撚られた各ストランドの間にワイヤロープの撚り方向と逆の方向に差し込んでワイヤロープ周面から突出させる編み込み作業のかご差しを行う第３半差し編み込み工程と、第３半差し編み込み工程の後に、第６細束の先端を切断し、その先端をワイヤロープの撚りストランドの中心の芯部領域の空隙中に押込む最終細束先端押込み工程よりなるトゲのないワイヤロープの玉掛索製造方法とした。
【００３２】
請求項５に記載の発明は、請求項４に記載の発明において、前記第１細束は各束ストランドを形成している内層線とし、前記第２細束から前記第６細束は各束ストランドを形成している外層線としてなるトゲのないワイヤロープの玉掛索製造方法とした。
【００３３】
請求項６に記載の発明は、請求項４に記載の発明において、前記第１細束は各束ストランドを形成している外層線とし、前記第２細束から前記第６細束は各束ストランドを形成している内層線としてなるトゲのないワイヤロープの玉掛索製造方法とした。
【００３４】
請求項７に記載の発明は、請求項１〜６の何れか１項に記載のトゲのないワイヤロープの玉掛索製造方法により製造したトゲのないワイヤロープの玉掛索とした。
【発明の効果】
【００３５】
請求項１に記載の発明によれば、ワイヤロープのループ部基端とすべき位置において、撚られた各ストランドの間に６組の束ストランドをそれぞれ別々にワイヤロープの撚り方向と逆の方向に差し込んでワイヤロープ周面から突出させる編み込み作業のかご差しを行う第１編み込み工程と、第１編み込み工程終了後に、突出した６組の各束ストランドの先端を更にそれぞれ２組の細束に分別して第１細束と第２細束とした１２組の細束ストランドを形成する細束ストランド形成工程と、細束ストランド形成工程終了後に、第１細束よりなる６組の細束ストランドの突出先端を切断する第１細束切断工程と、第１細束切断工程終了後に、切断した第１細束である６組の細束ストランドの先端をワイヤロープの撚り束ストランドの中心に形成された芯部領域中心に押込む第１細束先端押込み工程と、第１細束先端押込み工程終了後に、第２細束よりなる６組の細束ストランドをワイヤロープの撚られた各ストランドの間にワイヤロープの撚り方向と逆の方向に差し込んでワイヤロープ周面から突出させる編み込み作業のかご差しを行う第１半差し編み込み工程と、第１半差し編み込み工程終了後に、突出した第２細束たる６組の各細束ストランドの突出先端を切断する第２細束切断工程と、第２細束切断工程終了後に、切断した第２細束たる６組の細束ストランドの先端を、ワイヤロープの撚りストランドの中心の芯部領域の空隙中に押込む第２細束先端押込み工程とよりなることとした。
従って、束ストランドや細束ストランドのかご差しの編み込みにより、ワイヤロープの芯部領域中に押込んだ束ストランドや細束ストランドの切断先端部を格納するための、ワイヤロープの撚り方向と逆の方向に交差したかご差し状態で束ストランドや細束ストランドが編み込まれて編込み収納部を形成することになる。
すなわち、網目状になって交差した束ストランドや細束ストランドが芯部領域の周囲を囲繞した編込み収納部により、束ストランドや細束ストランドのストランド切断先端部たるトゲを包み込んでワイヤロープの外部に突出できないように封止することができる効果がある。
そして、ワイヤロープの玉掛索として使用時に引張り応力が掛かると、網目状になって交差した束ストランドや細束ストランドが縮小することで、引張り応力が大きいほど網目がより緊密に小さくなり、すなわち、間隙のない円周状の側壁いわゆる編込み収納部を形成した状態となるため、編込み収納部における芯部領域の空隙に束ストランドや細束ストランドのストランド切断先端部たるトゲを封じ込めてワイヤロープの外部に突出できないように完全に封入することができる効果がある。
さらに、第１編み込み工程には、撚られた各ストランドの間に差し込んだ前記６組の束ストランドをそれぞれ別々にワイヤロープの撚り方向と同じ方向に差し込んでワイヤロープ周面から突出させる編み込み作業を行う巻差しを行う工程を含むものである。
従って、第１編み込み工程において、各束ストランドの巻差しの編み込みがなされ、更に、異なる編み込みとしての束ストランドのかご差しの編み込みがなされることにより、ワイヤロープの撚られた各ストランドに強固な編み込みが行われる。その後の第１細束先端押込み工程における切断した第１細束である６組の細束ストランドの先端をワイヤロープの撚り束ストランドの中心に形成された芯部領域中心に押込んだトゲのないワイヤロープの玉掛索が製造される。
そして、ワイヤロープの玉掛索として使用時に引張り応力が掛かると、束ストランドとワイヤロープの撚られた各ストランドとが巻差しとかご差しとの２種類の編み込みによって強固に編み込まれていることにより、ワイヤロープの撚り束ストランドの中心の芯部領域中から第１細束である６組の細束ストランドの先端が再突出することなく、完全に封入することができる効果がある。
【００３６】
請求項２に記載の発明によれば、予め折り曲げられたワイヤロープ本体の自由端をストランド毎にばらばらに解舒してワイヤロープ先端部分に６組の束ストランドを形成する束ストランド形成工程と、その後、６組の束ストランドを２組に分けて第１組束ストランドと第２組束ストランドとし、第１組束ストランドは、ワイヤロープの撚り方向に差し込み、第２組束ストランドはワイヤロープの撚り方向と逆方向に差し込む準備差し込み工程を設け、ワイヤロープのループ部基端とすべき位置において、撚られた各ストランドの間に６組の束ストランドをそれぞれ別々にワイヤロープの撚り方向と逆の方向に差し込んでワイヤロープ周面から突出させる編み込み作業のかご差しを行う第１編み込み工程と、第１編み込み工程終了後に、突出した６組の各束ストランドの先端を更にそれぞれ２組の細束に分別して第１細束と第２細束とした１２組の細束ストランドを形成する細束ストランド形成工程と、細束ストランド形成工程終了後に、第１細束よりなる６組の細束ストランドの突出先端を切断する第１細束切断工程と、第１細束切断工程終了後に、切断した第１細束である６組の細束ストランドの先端をワイヤロープの撚り束ストランドの中心に形成された芯部領域中心に押込む第１細束先端押込み工程と、第１細束先端押込み工程終了後に、第２細束よりなる６組の細束ストランドをワイヤロープの撚られた各ストランドの間にワイヤロープの撚り方向と逆の方向に差し込んでワイヤロープ周面から突出させる編み込み作業のかご差しを行う第１半差し編み込み工程と、第１半差し編み込み工程終了後に、突出した第２細束たる６組の各細束ストランドの突出先端を切断する第２細束切断工程と、第２細束切断工程終了後に、切断した第２細束たる６組の細束ストランドの先端を、ワイヤロープの撚りストランドの中心の芯部領域の空隙中に押込む第２細束先端押込み工程とよりなることとした。
従って、束ストランド形成工程や準備差し込み工程の作業がなされることになり、その後の第１編み込み工程によるワイヤロープの撚られた各ストランドに強固な編み込み作業を手際よく行うことができる効果がある。更に、その後の各工程の作業を行うことで、トゲのないワイヤロープの玉掛索を製造することができる。
従って、束ストランドや細束ストランドのかご差しの編み込みにより、ワイヤロープの芯部領域中に押込んだ束ストランドや細束ストランドの切断先端部を格納するための、ワイヤロープの撚り方向と逆の方向に交差したかご差し状態で束ストランドや細束ストランドが編み込まれて編込み収納部を形成することになる。
すなわち、網目状になって交差した束ストランドや細束ストランドが芯部領域の周囲を囲繞した編込み収納部により、束ストランドや細束ストランドのストランド切断先端部たるトゲを包み込んでワイヤロープの外部に突出できないように封止することができる効果がある。
そして、ワイヤロープの玉掛索として使用時に引張り応力が掛かると、網目状になって交差した束ストランドや細束ストランドが縮小することで、引張り応力が大きいほど網目がより緊密に小さくなり、すなわち、間隙のない円周状の側壁いわゆる編込み収納部を形成した状態となるため、編込み収納部における芯部領域の空隙に束ストランドや細束ストランドのストランド切断先端部たるトゲを封じ込めてワイヤロープの外部に突出できないように完全に封入することができる効果がある。
【００３７】
請求項３に記載の発明によれば、前記第１編み込み工程の前に、予め折り曲げられたワイヤロープ本体の自由端をストランド毎にばらばらに解舒してワイヤロープ先端部分に６組の束ストランドを形成する束ストランド形成工程と、その後、６組の束ストランドを２組に分けて第１組束ストランドと第２組束ストランドとし、第１組束ストランドは、ワイヤロープの撚り方向に差し込み、第２組束ストランドはワイヤロープの撚り方向と逆方向に差し込む準備差し込み工程を設けたものである。
従って、束ストランド形成工程や準備差し込み工程の作業がなされることになり、その後の第１編み込み工程によるワイヤロープの撚られた各ストランドに強固な編み込み作業を手際よく行うことができる効果がある。更に、その後の各工程の作業を行うことで、トゲのないワイヤロープの玉掛索を製造することができる。
【００３９】
請求項４に記載の発明によれば、第１半差し編み込み工程の後に、第２細束を第３細束と第４細束の２組に分けて、第３細束の先端を切断し、その先端をワイヤロープの撚りストランドの中心の芯部領域中に押込むと共に、第４細束の細束ストランドをワイヤロープの撚られた各ストランドの間にワイヤロープの撚り方向と逆の方向に差し込んでワイヤロープ周面から突出させる編み込み作業のかご差しを行う第２半差し編み込み工程と、第２半差し編み込み工程の後に、第４細束を第５細束と第６細束の２組に分け、第５細束の先端を切断し、その先端をワイヤロープの撚りストランドの中心の芯部領域中に押込むと共に、第６細束をワイヤロープの撚られた各ストランドの間にワイヤロープの撚り方向と逆の方向に差し込んでワイヤロープ周面から突出させる編み込み作業のかご差しを行う第３半差し編み込み工程と、第３半差し編み込み工程の後に、第６細束の先端を切断し、その先端をワイヤロープの撚りストランドの中心の芯部領域中に押込む最終細束先端押込み工程よりなるものである。
従って、第１細束から第６細束は、かご差しの半差し作業と段落し作業が交互に行われており、ワイヤロープの芯部領域中に押込む第１細束、第３細束、第５細束、第６細束の各切断先端部を徐々に細く形成できると共に、第２細束、第４細束、第６細束によるかご差しの編み込みがなされるために、ワイヤロープの芯部領域中に押込んだ第１細束、第３細束、第５細束、第６細束の切断先端部を格納した際、ワイヤロープの撚り方向と逆の方向に交差した状態で第２細束、第４細束、第６細束による細束ストランドが編み込まれて編込み収納部を形成することになる。
すなわち、網目状になって交差した第２細束、第４細束、第６細束による細束ストランドが芯部領域の周囲を囲繞した編込み収納部により、第１細束、第３細束、第５細束、第６細束のストランド切断先端部たるトゲを包み込んでワイヤロープの外部に突出できないように封止することができる効果がある。
そして、ワイヤロープの玉掛索として使用時に引張り応力が掛かると、網目状になって交差した第２細束、第４細束、第６細束による細束ストランドが縮小することで、引張り応力が大きいほど網目がより緊密に小さくなり、間隙のない円周状の側壁いわゆる編込み収納部を形成した状態となるため、編込み収納部における芯部領域の空隙にストランド切断先端部たるトゲを封じ込めてワイヤロープの外部に突出できないように完全に封入することができる効果がある。
【００４０】
請求項５に記載の発明によれば、その後、内層線と外層線とに分別した後の外層線は、第１半差し編み込み工程において、ワイヤロープの撚り方向と逆の方向で撚りストランド間に挿通して編み込んでいくものである。
従って、外層線の細束ストランドのかご差しの編み込みがなされることになり、ワイヤロープの芯部領域中に押込んだ外層線の細束ストランドの切断先端部を格納した場合、ワイヤロープの撚り方向と逆の方向に交差した状態で細束ストランドが編み込まれて編込み収納部を形成することになる。
すなわち、網目状になって交差した外層線の細束ストランドが芯部領域の周囲を囲繞した編込み収納部により、ストランド切断先端部たるトゲを封じ込めてワイヤロープの外部に突出できないように封止することができる効果がある。
そして、ワイヤロープの玉掛索として使用時に引張り応力が掛かると、網目状になって交差した外層線の細束ストランドが縮小することで、引張り応力が大きいほど網目がより緊密に小さくなり、間隙のない円周状の側壁いわゆる編込み収納部を形成した状態となるため、編込み収納部における芯部領域の空隙にストランド切断先端部たるトゲを封じ込めてワイヤロープの外部に突出できないように完全に封入することができる効果がある。
【００４１】
請求項６に記載の発明によれば、その後、内層線と外層線とに分別した後の内層線は、第１半差し編み込み工程において、ワイヤロープの撚り方向と逆の方向で撚りストランド間に挿通して編み込んでいくものである。
従って、内層線の細束ストランドの編み込みにより、ワイヤロープの芯部領域中に押込んだ内層線の細束ストランドの切断先端部を格納するための、ワイヤロープの撚り方向と逆の方向に交差した状態で内層線の細束ストランドが編み込まれて編込み収納部を形成することになる。
すなわち、網目状になって交差した内層線の細束ストランドが芯部領域の周囲を囲繞した編込み収納部により、ストランド切断先端部たるトゲを封じ込めてワイヤロープの外部に突出できないように封止することができる効果がある。
そして、ワイヤロープの玉掛索として使用時に引張り応力が掛かると、網目状になって交差した内層線の細束ストランドが縮小することで、引張り応力が大きいほど網目がより緊密に小さくなり、間隙のない円周状の側壁いわゆる編込み収納部を形成した状態となるため、編込み収納部における芯部領域の空隙にストランド切断先端部たるトゲを封じ込めてワイヤロープの外部に突出できないように完全に封入することができる効果がある。
【００４２】
請求項７に記載の発明によれば、トゲのないワイヤロープの玉掛索製造方法により製造したトゲのないワイヤロープの玉掛索であるため、心綱と共にストランドの自由端も芯部空隙中に戻すことになり、芯部が心綱と鋼線の芯とで構成され、ワイヤロープの表面にストランドの切断部分が突出することなく、しかも、芯部の空洞部分を埋めることになり、使用時の安全性と共にワイヤロープの鋼性及び強度を飛躍的に向上しうる効果がある。
【図面の簡単な説明】
【００４３】
【図１】ワイヤロープの端部を示す分解斜視図である。
【図２】束ストランドをワイヤロープの撚りストランド間に通し抜き出す準備作業工程を示す図である。
【図３】第１実施形態における巻差しの第１編み込み工程を示す図である。
【図４】第１実施形態におけるかご差しの第１編み込み工程を示す図である。
【図５】（ａ）第１実施形態におけるかご差しの第１半差し編み込み工程を示す図である。（ｂ）分割した細束ストランドの状態を示す説明図である。
【図６】（ａ）第１実施形態におけるかご差しの第２半差し編み込み工程を示す図である。（ｂ）分割した細束ストランドの状態を示す説明図である。
【図７】（ａ）第１実施形態におけるかご差しの第３半差し編み込み工程を示す図である。（ｂ）分割した細束ストランドの状態を示す説明図である。
【図８】第１実施形態における第２細束先端押込み工程を示す図である。
【図９】変形における巻差しの第１編み込み工程を示す図である。
【図１０】他の準備作業工程を示す図である。
【図１１】（ａ）第２実施形態におけるかご差しの第１半差し編み込み工程を示す図である。（ｂ）分割した細束ストランドの状態を示す説明図である。
【図１２】（ａ）第２実施形態におけるかご差しの第２半差し編み込み工程を示す図である。（ｂ）分割した細束ストランドの状態を示す説明図である。
【図１３】（ａ）第２実施形態におけるかご差しの第３半差し編み込み工程を示す図である。（ｂ）分割した細束ストランドの状態を示す説明図である。
【図１４】第２実施形態における第２細束先端押込み工程を示す図である。
【図１５】（ａ）第３実施形態におけるかご差しの第１半差し編み込み工程を示す図である。（ｂ）分割した細束ストランドの状態を示す説明図である。
【図１６】（ａ）第３実施形態におけるかご差しの第２半差し編み込み工程を示す図である。（ｂ）分割した細束ストランドの状態を示す説明図である。
【図１７】（ａ）第３実施形態におけるかご差しの第３半差し編み込み工程を示す図である。（ｂ）分割した細束ストランドの状態を示す説明図である。
【図１８】第３実施形態における第２細束先端押込み工程を示す図である。
【図１９】変形例１における巻差しの第１編み込み工程の終了後の状態を示す図である。
【図２０】変形例１におけるかご差しの第１半差し編み込み工程を示す図である。
【図２１】変形例１におけるかご差しの第２半差し編み込み工程を示す図である。
【図２２】変形例１における第２細束先端押込み工程を示す図である。
【図２３】変形におけるかご差しの第１編み込み工程を示す図である。
【図２４】かご差し作業終了後のワイヤロープと細束ストランドの状態を示す斜視図である。
【図２５】１本の束ストランドを内外層線に分けた状態を示す斜視図である。
【図２６】ワイヤロープの心綱にスパイキを差し入れた状態を示す斜視図である。
【図２７】１組の細束ストランドをワイヤロープの本線に収納する状態を示す斜視図である。
【図２８】本ワイヤロープ玉掛索製造方法で製造したトゲのない玉掛ワイヤロープを示す平面図である。
【発明を実施するための最良の形態】
【００４４】
一般に、ワイヤロープを用いて手編み玉掛索を製作する方法として以下の技術が知られている。即ち、「巻差し方法」と「かご差し方法」が用いられる。このうち、「巻差し方法」は、ワイヤロープの先端をストランドの単位にばらばらに解舒して、そのストランドをワイヤロープの撚りストランドの間に通して、ワイヤロープの撚り方向と「同方向」に巻いていく方法である。
【００４５】
「かご差し方法」は、ワイヤロープの先端をストランドの単位に解舒して、その束ストランドをワイヤロープの撚りストランドの間に通して、ワイヤロープの撚り方向と「反対方向」に巻いていく方法である。
【００４６】
このように巻差し方法とかご差し方法とは、ワイヤロープの撚り方向と同一か反対かによって区別する。
【００４７】
これら巻差し及びかご差しの作業を用いることで、後述する本発明のトゲのないワイヤロープの玉掛索製造方法を行なうこととなる。
【００４８】
（１）本発明のトゲのないワイヤロープの玉掛索製造方法は、ワイヤロープのループ部基端とすべき位置において、撚られた各ストランドの間に６組の束ストランドをそれぞれ別々にワイヤロープの撚り方向と逆の方向に差し込んでワイヤロープ周面から突出させる編み込み作業のかご差しを行う第１編み込み工程と、第１編み込み工程終了後に、突出した６組の各束ストランドの先端を更にそれぞれ２組の細束に分別して第１細束と第２細束とした１２組の細束ストランドを形成する細束ストランド形成工程と、細束ストランド形成工程終了後に、第１細束よりなる６組の細束ストランドの突出先端を切断する第１細束切断工程と、第１細束切断工程終了後に、切断した第１細束である６組の細束ストランドの先端をワイヤロープの撚り束ストランドの中心に形成された芯部領域中心に押込む第１細束先端押込み工程と、第１細束先端押込み工程終了後に、第２細束よりなる６組の細束ストランドをワイヤロープの撚られた各ストランドの間にワイヤロープの撚り方向と逆の方向に差し込んでワイヤロープ周面から突出させる編み込み作業のかご差しを行う第１半差し編み込み工程と、第１半差し編み込み工程終了後に、突出した第２細束たる６組の各細束ストランドの突出先端を切断する第２細束切断工程と、第２細束切断工程終了後に、切断した第２細束たる６組の細束ストランドの先端を、ワイヤロープの撚りストランドの中心の芯部領域の空隙中に押込む第２細束先端押込み工程とよりなる。
【００４９】
さらに、本発明のトゲのないワイヤロープの玉掛索製造方法は、以下の（２）〜（７）の特徴を有している。
【００５０】
（２）第１編み込み工程には、撚られた各ストランドの間に差し込んだ前記６組の束ストランドをそれぞれ別々にワイヤロープの撚り方向と同じ方向に差し込んでワイヤロープ周面から突出させる編み込み作業を行う巻差しを行う工程を含む。
【００５１】
（３）前記第１編み込み工程の前に、予め折り曲げられたワイヤロープ本体の自由端をストランド毎にばらばらに解舒してワイヤロープ先端部分に６組の束ストランドに形成する束ストランド形成工程と、その後、６組の束ストランドを２組に分けて第１組束ストランドと第２組束ストランドとし、第１組束ストランドは、ワイヤロープの撚り方向に差し込み、第２組束ストランドはワイヤロープの撚り方向と逆方向に差し込む準備差し込み工程を設けた。
【００５２】
（４）第１半差し編み込み工程の後に、更に複数回の半差し編み込み工程を行い最終的に切断した最終細束先端を芯部領域の空隙中に押込む最終細束先端押込み工程を行う。
【００５３】
（５）第１半差し編み込み工程の後に、第２細束を第３細束と第４細束の２組に分けて、第３細束の先端を切断し、その先端をワイヤロープの撚りストランドの中心の芯部領域の空隙中に押込むと共に、第４細束の細束ストランドをワイヤロープの撚られた各ストランドの間にワイヤロープの撚り方向と逆の方向に差し込んでワイヤロープ周面から突出させる編み込み作業のかご差しを行う第２半差し編み込み工程と、第２半差し編み込み工程の後に、第４細束を第５細束と第６細束の２組に分け、第５細束の先端を切断し、その先端をワイヤロープの撚りストランドの中心の芯部領域の空隙中に押込むと共に、第６細束をワイヤロープの撚られた各ストランドの間にワイヤロープの撚り方向と逆の方向に差し込んでワイヤロープ周面から突出させる編み込み作業のかご差しを行う第３半差し編み込み工程と、第３半差し編み込み工程の後に、第６細束の先端を切断し、その先端をワイヤロープの撚りストランドの中心の芯部領域の空隙中に押込む最終細束先端押込み工程よりなる。
【００５４】
（６）前記第１細束は各束ストランドを形成している内層線とし、前記第２細束から前記第６細束は各束ストランドを形成している外層線としてなる。
【００５５】
（７）前記第１細束は各束ストランドを形成している外層線とし、前記第２細束から前記第６細束は各束ストランドを形成している内層線としてなる。
【００５６】
（８）上記（１）〜（７）のトゲのないワイヤロープの玉掛索製造方法により製造したトゲのないワイヤロープの玉掛索が完成することとした。
【００５７】
以下、本願発明の玉掛索を製造する方法について図面に基づき説明する。
【００５８】
［第１実施形態］
本発明の第１実施形態のトゲのないワイヤロープの玉掛索製造方法は、束ストランド形成工程と、準備差し込み工程と、巻差しの第１編み込み工程と、かご差しの第１編み込み工程と、細束ストランド形成工程と、第１細束切断工程と、第１細束先端押込み工程と、かご差しの第１半差し編み込み工程と、かご差しの第２半差し編み込み工程と、かご差しの第３半差し編み込み工程と、最終細束先端押込み工程とよりなる。
【００５９】
Ｉ.［束ストランド形成工程］
束ストランド形成工程について説明する。図１に示すように、先ずワイヤロープ１１の自由端部側に輪状のループ部１２を作る。
【００６０】
すなわち、ワイヤロープ１１の先端側を折り返し、折り返した先端側でループ部１２を構成すると同時に折り返したワイヤロープ１１の先端部分において、６組の束ストランド１〜６とその中心にある心綱７とをばらばらに分ける。
【００６１】
ＩＩ．［準備差し込み工程］
ここで、ワイヤロープ１１の本線１１ａの撚りストランドＡ〜Ｆ内に各束ストランド１〜６を通す作業（いわゆる巻差し方法による束ストランド挿通作業）の前段階としての準備差し込み工程を行う。すなわち、この準備差し込み工程は、地差し法による口入れと称するものであり、６組の各束ストランド１〜６を図２に示すように、撚りストランドＡ〜Ｆの適宜の間にスパイキ１４５を入れて、撚りストランドＡ〜Ｆ間の間隙に挿通する。この作業を図２に基づき詳説する。この工程は次工程の巻差しの第１編み込み工程を行うためにばらばらの束ストランド１〜６の根元を撚りストランドＡ〜Ｆに係合し固定して束ストランドの巻差しが弛緩しないようにするためのものである。
【００６２】
（１）第２組束ストランドとしての束ストランド１をワイヤロープ１１の本線１１ａ側の撚りストランドＡ・Ｆの間から挿入して心綱７の左を通して撚りストランドＢ・Ｃの間を抜く。
【００６３】
（２）第２組束ストランドとしての束ストランド２をワイヤロープ１１の本線１１ａ側の撚りストランドＡ・Ｆの間から挿入して心綱７の左を通して撚りストランドＣ・Ｄの間を抜く。
【００６４】
（３）第２組束ストランドとしての束ストランド３をワイヤロープ１１の本線１１ａ側の撚りストランドＡ・Ｆの間から挿入して心綱７の右を通して撚りストランドＤ・Ｅの間を抜く。
【００６５】
（４）第２組束ストランドとしての束ストランド４をワイヤロープ１１の本線１１ａ側の撚りストランドＡ・Ｆの間から挿入して心綱７の右を通して撚りストランドＥ・Ｆの間を抜く。ここで通したストランド４を締め込む。
【００６６】
（５）撚りストランドＡ・Ｆの間から撚りストランドＢ・Ｃの間にスパイキを差してストランドＡ・Ｆの間に心綱７を入れる。
【００６７】
（６）第１組束ストランドとしての束ストランド５をワイヤロープ１１の本線１１ａ側の撚りストランドＡ・Ｂの間から挿入して撚りストランドＡ・Ｆの間を抜くと同時に、ストランドＡ〜Ｆの撚りを戻す。
【００６８】
（７）第１組束ストランドとしての束ストランド６をワイヤロープ１１の本線１１ａ側の撚りストランドＢ・Ｃの間から挿入して撚りストランドＡ・Ｂの間を抜くと同時に、ストランドＡ〜Ｆの撚りを戻す。そして、ストランドＡ〜Ｆの撚りを戻した部分をハンマで軽く均す。
【００６９】
図２を用いて説明した地差し方法は、束ストランドを５対１に分けて撚りストランドに挿通したが、その他に束ストランドを４対２に分けて行う地差し方法と、束ストランドを３対３に分けて行う地差し方法があり、これらの方法においても本実施形態のワイヤロープの玉掛索を得るための準備差し込み工程となり得る。
【００７０】
他の実施例として上記地差し法による口入れ方法の他にフレミッシュ法による口入れ方法がある。ここでは、図２３に基づきフレミッシュ法を詳説する。なお、フレミッシュ法には、束ストランドを３対３の２組に分けて行う方法と、４対２の２組に分けて行う方法の２種類があり、ここでは、束ストランドを３対３の２組に分けて行う方法について説明する。
【００７１】
（１）例えば、ストランド１をワイヤロープ１１の本線１１ａ側の撚りストランドＡ・Ｂの間から挿入して心綱７の右を通して撚りストランドＡ・Ｆの間を抜く。
【００７２】
（２）ストランド２をワイヤロープ１１の本線１１ａ側の撚りストランドＢ・Ｃの間から挿入して心綱７の左を通して撚りストランドＡ・Ｂの間を抜く。
【００７３】
（３）ストランド３をワイヤロープ１１の本線１１ａ側の撚りストランドＣ・Ｄの間から挿入して心綱７の左を通して撚りストランドＢ・Ｃの間を抜く。
【００７４】
（４）ストランド４をワイヤロープ１１の本線１１ａ側の撚りストランドＡ・Ｆの間から挿入して心綱７の右を通して撚りストランドＥ・Ｆの間を抜く。
【００７５】
（５）ストランド５をワイヤロープ１１の本線１１ａ側の撚りストランドＥ・Ｆの間から挿入して心綱７の右を通して撚りストランドＤ・Ｅの間を抜く。
【００７６】
（６）ストランド６をワイヤロープ１１の本線１１ａ側の撚りストランドＤ・Ｅの間から挿入して心綱７の右を通して撚りストランドＣ・Ｄの間を抜く。
【００７７】
このように６組の各束ストランド１〜６がそれぞれ撚りストランドＡ〜Ｆ間に挿通された状態となりフレミッシュ法による口入れを完了する。
【００７８】
ＩＩＩ．［巻差しの第１編み込み工程］
このように６組の各束ストランド１〜６がそれぞれ撚りストランドＡ〜Ｆ間に挿通され準備差し込み工程が終了した後（図２参照）に、以下に示す巻差し方法による６組の各束ストランド１〜６の挿通作業が行われる。
【００７９】
（１）例えば、図３に示すように、１組目の束ストランド１をワイヤロープ１１の本線１１ａ側の撚りストランドＣ・Ｄの間から挿入して撚りストランドＢ・Ｃの間を抜く。ここで通した束ストランド１を締め込む。
【００８０】
（２）２組目の束ストランド２をワイヤロープ１１の本線１１ａ側の撚りストランドＤ・Ｅの間から挿入して撚りストランドＣ・Ｄの間を抜く。ここで通した束ストランド２を締め込む。
【００８１】
（３）３組目の束ストランド３をワイヤロープ１１の本線１１ａ側の撚りストランドＥ・Ｆの間から挿入して撚りストランドＤ・Ｅの間を抜く。ここで通した束ストランド３を締め込む。
【００８２】
（４）４組目の束ストランド４をワイヤロープ１１の本線１１ａ側の撚りストランドＡ・Ｆの間から挿入して撚りストランドＥ・Ｆの間を抜く。ここで通したストランド４を締め込む。
【００８３】
（５）５組目の束ストランド５をワイヤロープ１１の本線１１ａ側の撚りストランドＡ・Ｂの間から挿入して撚りストランドＡ・Ｆの間を抜く。ここで通した束ストランド５を締め込む。
【００８４】
（６）６組目の束ストランド６をワイヤロープ１１の本線１１ａ側の撚りストランドＢ・Ｃの間から挿入して撚りストランドＡ・Ｂの間を抜くと同時に、ストランドＡ〜Ｆの撚りを戻す。ここで通した束ストランド６を締め込む。
【００８５】
このようにして１回目の６組の束ストランド１〜６の巻差し方法による挿通作業が完了する。
【００８６】
次に、同じ手順（１）〜（６）で、２回目の巻差し方法による挿通作業が行われ、６組の束ストランド１〜６の巻差し方法による挿通作業が完了する。
【００８７】
さらに、同じ手順（１）〜（６）で、３回目の巻差し方法による挿通作業が行われ、６組の束ストランド１〜６の巻差し方法による挿通作業が完了する。すなわち、１組目の束ストランド１は、ワイヤロープ１１の本線１１ａ側の撚りストランドＢ・Ｃの間から抜き出し、さらに、２組目の束ストランド２は、ワイヤロープ１１の本線１１ａ側の撚りストランドＣ・Ｄの間から抜き出し、さらにまた、３組目の束ストランド３は、ワイヤロープ１１の本線１１ａ側の撚りストランドＤ・Ｅの間から抜き出し、さらに、４組目の束ストランド４は、ワイヤロープ１１の本線１１ａ側の撚りストランドＥ・Ｆの間から抜き出し、さらにまた、５組目の束ストランド５は、ワイヤロープ１１の本線１１ａ側の撚りストランドＡ・Ｆの間から抜き出し、さらに、６組目の束ストランド６は、ワイヤロープ１１の本線１１ａ側の撚りストランドＡ・Ｂの間から抜き出した態様となる。そして、この態様から、次のかご差しの第１編み込み工程を行う。
【００８８】
なお、１回目〜３回目の巻差し方法による挿通作業においては、１回目の束ストランド１は、ワイヤロープの撚りの第１旋回目部分における撚りストランドＣ・Ｄ間から撚りストランドＢ・Ｃ間の間隙に挿通されるものであり、２回目の束ストランド１は、撚りの第２旋回目部分における撚りストランドＣ・Ｄ間から撚りストランドＢ・Ｃ間の間隙に挿通されるものであり、３回目の束ストランド１は、撚りの第３旋回目部分における撚りストランドＣ・Ｄ間から撚りストランドＢ・Ｃ間の間隙に挿通されるものである。
【００８９】
従って、撚りの第１旋回目部分の上手側に、撚りの第２旋回目部分があり、更にその上手側に撚りの第３旋回目部分が位置し、各旋回目毎に１組目の束ストランド１が挿通される。
【００９０】
かかる手順は、２組目の束ストランド２においても同じように撚りの第１旋回目部分、第２旋回目部分、第３旋回目部分にそれぞれ挿通される。
【００９１】
以下、３組目以下も同じように６組目までの束ストランド３〜６が各旋回目部分に挿通されて、各組の束ストランド３〜６の３回の巻差し作業が完了する。
【００９２】
ＩＶ．［かご差しの第１編み込み工程］
次いで、各組の束ストランド１〜６を「かご差し方法」による作業で撚りストランド間に挿通する。
【００９３】
すなわち、ワイヤロープの撚り方向と逆の方向に巻いていくかご差し方法を１回のみ実施するかご差し工程を行う。図４に示すのは１回のみ行うかご差し方法による各組の束ストランド１〜６の挿通状態である。以下詳説する。
【００９４】
（１）例えば、図４に示すように、１組目の束ストランド１をワイヤロープ１１の本線１１ａ側の撚りストランドＡ・Ｂの間から挿入して撚りストランドＥ・Ｆの間を抜く。
【００９５】
（２）２組目の束ストランド２をワイヤロープ１１の本線１１ａ側の撚りストランドＢ・Ｃの間から挿入して撚りストランドＡ・Ｆの間を抜く。
【００９６】
（３）３組目の束ストランド３をワイヤロープ１１の本線１１ａ側の撚りストランドＣ・Ｄの間から挿入して撚りストランドＡ・Ｂの間を抜く。
【００９７】
（４）４組目の束ストランド４をワイヤロープ１１の本線１１ａ側の撚りストランドＤ・Ｅの間から挿入して撚りストランドＢ・Ｃの間を抜く。
【００９８】
（５）５組目の束ストランド５をワイヤロープ１１の本線１１ａ側の撚りストランドＥ・Ｆの間から挿入して撚りストランドＣ・Ｄの間を抜く。
【００９９】
（６）６組目の束ストランド６をワイヤロープ１１の本線１１ａ側の撚りストランドＡ・Ｆの間から挿入して撚りストランドＤ・Ｅの間を抜く。
【０１００】
以上で６組の束ストランド１〜６は、３回の巻差し、１回のかご差しの各方法による撚りストランドＡ〜Ｆへの挿通作業が完了する。次に後述する細束ストランド形成工程を行う。
【０１０１】
ＩＩＩ’及びＩＶ’［第１編み込み工程の変形］
上述したＩＩＩ［巻差しの第１編み込み工程］とＩＶ［かご差しの第１編み込み工程］との順序を逆にして、先にＩＩＩ’［かご差しの第１編み込み工程］を行い、次いでＩＶ’［巻差しの第１編み込み工程］を行うものである。
【０１０２】
変形の玉掛索製造方法における束ストランド形成工程〜準備差し込み工程までの説明については、上述した第１実施形態の玉掛索製造方法におけるI.束ストランド形成工程〜ＩＩ．準備差し込み工程と同一であり重複説明を省略する。
【０１０３】
ＩＩＩ’．［かご差しの第１編み込み工程］
このように６組の各束ストランド１〜６がそれぞれ撚りストランドＡ〜Ｆ間に挿通され準備作業工程が終了した後（図２参照）に、以下に示すかご差し方法による６組の各束ストランド１〜６の挿通作業が行われる。
【０１０４】
（１）例えば、図９に示すように、１組目の束ストランド１をワイヤロープ１１の本線１１ａ側の撚りストランドＡ・Ｂの間から挿入して撚りストランドＥ・Ｆの間を抜く。ここで通した束ストランド１を締め込む。
【０１０５】
（２）２組目の束ストランド２をワイヤロープ１１の本線１１ａ側の撚りストランドＢ・Ｃの間から挿入して撚りストランドＡ・Ｆの間を抜く。ここで通した束ストランド２を締め込む。
【０１０６】
（３）３組目の束ストランド３をワイヤロープ１１の本線１１ａ側の撚りストランドＣ・Ｄの間から挿入して撚りストランドＡ・Ｂの間を抜く。ここで通した束ストランド３を締め込む。
【０１０７】
（４）４組目の束ストランド４をワイヤロープ１１の本線１１ａ側の撚りストランドＤ・Ｅの間から挿入して撚りストランドＢ・Ｃの間を抜く。ここで通した束ストランド４を締め込む。
【０１０８】
（５）５組目の束ストランド５をワイヤロープ１１の本線１１ａ側の撚りストランドＥ・Ｆの間から挿入して撚りストランドＣ・Ｄの間を抜く。ここで通した束ストランド５を締め込む。
【０１０９】
（６）６組目の束ストランド６をワイヤロープ１１の本線１１ａ側の撚りストランドＡ・Ｆの間から挿入して撚りストランドＤ・Ｅの間を抜くと同時に、ストランドＡ〜Ｆの撚りを戻す。ここで通した束ストランド６を締め込む。
【０１１０】
このようにして１回目の６組の束ストランド１〜６のかご差し方法による挿通作業が完了する。
【０１１１】
次に、同じ手順（１）〜（６）で、２回目のかご差し方法による挿通作業が行われ、６組の束ストランド１〜６のかご差し方法による挿通作業が完了する。
【０１１２】
さらに、同じ手順（１）〜（６）で、３回目のかご差し方法による挿通作業が行われ、６組の束ストランド１〜６のかご差し方法による挿通作業が完了する。すなわち、図９に示すように、１組目の束ストランド１は、ワイヤロープ１１の本線１１ａ側の撚りストランドＥ・Ｆの間から抜き出し、さらに、２組目の束ストランド２は、ワイヤロープ１１の本線１１ａ側の撚りストランドＡ・Ｆの間から抜き出し、さらにまた、３組目の束ストランド３は、ワイヤロープ１１の本線１１ａ側の撚りストランドＡ・Ｂの間から抜き出し、さらに、４組目の束ストランド４は、ワイヤロープ１１の本線１１ａ側の撚りストランドＢ・Ｃの間から抜き出し、さらにまた、５組目の束ストランド５は、ワイヤロープ１１の本線１１ａ側の撚りストランドＣ・Ｄの間から抜き出し、さらに、６組目の束ストランド６は、ワイヤロープ１１の本線１１ａ側の撚りストランドＤ・Ｅの間から抜き出した態様となる。そして、この態様から、次の巻差しの第２編み込み工程を行う。
【０１１３】
なお、１回目〜３回目のかご差し方法による挿通作業においては、１回目の束ストランド１は、ワイヤロープの撚りの第１旋回目部分における撚りストランドＡ・Ｂ間から撚りストランドＥ・Ｆ間の間隙に挿通されるものであり、２回目の束ストランド１は、撚りの第２旋回目部分における撚りストランドＤ・Ｅ間から撚りストランドＢ・Ｃ間の間隙に挿通されるものであり、３回目の束ストランド１は、撚りの第３旋回目部分における撚りストランドＡ・Ｂ間から撚りストランドＥ・Ｆ間の間隙に挿通されるものである。
【０１１４】
従って、撚りの第１旋回目部分の上手側に、撚りの第２旋回目部分があり、更にその上手側に撚りの第３旋回目部分が位置し、各旋回目毎に１組目の束ストランド１が挿通される。
【０１１５】
かかる手順は、２組目の束ストランド２においても同じように撚りの第１旋回目部分、第２旋回目部分、第３旋回目部分にそれぞれ挿通される。
【０１１６】
以下、３組目以下も同じように６組目までの束ストランド３〜６が各旋回目部分に挿通されて、各組の束ストランド３〜６の３回のかご差し作業が完了する。
【０１１７】
ＩＶ’．［巻差しの第１編み込み工程］
次いで、各組の束ストランド１〜６を「巻差し方法」による作業で撚りストランド間に挿通する。
【０１１８】
すなわち、ワイヤロープの撚りと同じ方向に巻いていく巻差し方法を１回のみ実施する巻差し工程を行う。図１０に示すのは１回のみ行う巻差し方法による各組の束ストランド１〜６の挿通状態である。以下詳説する。
【０１１９】
（１）例えば、図１０に示すように、１組目の束ストランド１をワイヤロープ１１の本線１１ａ側の撚りストランドＡ・Ｆの間から挿入して撚りストランドＥ・Ｆの間を抜く。
【０１２０】
（２）２組目の束ストランド２をワイヤロープ１１の本線１１ａ側の撚りストランドＡ・Ｂの間から挿入して撚りストランドＡ・Ｆの間を抜く。
【０１２１】
（３）３組目の束ストランド３をワイヤロープ１１の本線１１ａ側の撚りストランドＢ・Ｃの間から挿入して撚りストランドＡ・Ｂの間を抜く。
【０１２２】
（４）４組目の束ストランド４をワイヤロープ１１の本線１１ａ側の撚りストランドＣ・Ｄの間から挿入して撚りストランドＢ・Ｃの間を抜く。
【０１２３】
（５）５組目の束ストランド５をワイヤロープ１１の本線１１ａ側の撚りストランドＤ・Ｅの間から挿入して撚りストランドＣ・Ｄの間を抜く。
【０１２４】
（６）６組目の束ストランド６をワイヤロープ１１の本線１１ａ側の撚りストランドＥ・Ｆの間から挿入して撚りストランドＤ・Ｅの間を抜く。
【０１２５】
以上で６組の束ストランド１〜６は、３回のかご差し、１回の巻差しの各方法による撚りストランドＡ〜Ｆへの挿通作業が完了する。すなわち、このようにワイヤーロープの撚りストランドに束ストランドを編み込むことで編込み収納部が形成されることとなる。次に後述する細束ストランド形成工程を行う。
【０１２６】
Ｖ．［細束ストランド形成工程］
以上で６組の束ストランド１〜６は、巻差し、かご差しの各方法による撚りストランドＡ〜Ｆへの挿通作業が完了する。そして、束ストランド１〜６の各突出端を更に２組の束に分割し、第１細束と第２細束とする。すなわち、第１細束の細束ストランド１ｃ〜６ｃと、第２細束の細束ストランド１ｄ〜６ｄとに２分割する細束ストランド形成工程を行う（図５（ａ）及び図５（ｂ）参照）。
【０１２７】
ＶＩ．［第１細束切断工程］
６組の束ストランド１〜６の第１細束の細束ストランド１ｃ〜６ｃと各束ストランド１〜６の細心綱８，・・，８は、ワイヤロープ表面の位置で切断する第１細束切断工程を行い、６組の第２細束、すなわち６組の細束ストランド１ｄ〜６ｄを残す（図５（ａ）及び図５（ｂ）参照）。このとき、撚りストランドＡ〜Ｆ間から心綱７を引き出し切断して、同撚りストランドＡ〜Ｆの中心部の心綱７の一部を抜いた箇所に芯部空隙１１ｂを形成する。
【０１２８】
ＶＩＩ．［第１細束先端押込み工程］
切断された６組の細束ストランド１ｃ〜６ｃと細心綱８，・・，８の先端切断部分、いわゆる第１細束トゲ６本は、撚りストランドＡ〜Ｆの中心部の心綱７の一部を抜いて生じた芯部領域の空隙１１ｂ中に押し込む第１細束先端押込み工程を行う。このとき束ストランドが芯部領域の周囲を囲繞した編込み収納部により、ストランド切断先端部たるトゲを包み込んだ状態となる。
【０１２９】
ＶＩＩＩ．［かご差しの第１半差し編み込み工程］
突出したままのかかる第２細束の細束ストランド１ｄ〜６ｄは、半差しによるかご差し方法による作業で撚りストランドＡ〜Ｆ間に挿通する第１半差し編み込み工程を行う。すなわち、図５（ａ）に示すように１組目〜６組目の第２細束の細束ストランド１ｄ〜６ｄは、所定の撚りストランドＡ〜Ｆ間に、撚りと逆方向に巻回しながら挿通する。
【０１３０】
（１）例えば、図５（ａ）に示すように、１組目の第２細束の細束ストランド１ｄをワイヤロープ１１の本線１１ａ側の撚りストランドＤ・Ｅの間から挿入して撚りストランドＢ・Ｃの間を抜く。
【０１３１】
（２）２組目の第２細束の細束ストランド２ｄをワイヤロープ１１の本線１１ａ側の撚りストランドＥ・Ｆの間から挿入して撚りストランドＣ・Ｄの間を抜く。
【０１３２】
（３）３組目の第２細束の細束ストランド３ｄをワイヤロープ１１の本線１１ａ側の撚りストランドＡ・Ｆの間から挿入して撚りストランドＤ・Ｅの間を抜く。
【０１３３】
（４）４組目の第２細束の細束ストランド４ｄをワイヤロープ１１の本線１１ａ側の撚りストランドＡ・Ｂの間から挿入して撚りストランドＥ・Ｆの間を抜く。
【０１３４】
（５）５組目の第２細束の細束ストランド５ｄをワイヤロープ１１の本線１１ａ側の撚りストランドＢ・Ｃの間から挿入して撚りストランドＡ・Ｆの間を抜く。
【０１３５】
（６）６組目の第２細束の細束ストランド６ｄをワイヤロープ１１の本線１１ａ側の撚りストランドＣ・Ｄの間から挿入して撚りストランドＡ・Ｂの間を抜く。
【０１３６】
以上で６組の第２細束の細束ストランド１ｄ〜６ｄは、かご差しの方法による撚りストランドＡ〜Ｆへの１回目の挿通作業が完了する。このようにワイヤーロープの撚りストランドに細束ストランドを編み込むことで編込み収納部が形成されることとなる。前記第１半差し編み込み工程の後に、更に複数回の半差し編み込み工程を行い最終的に切断した最終細束先端を芯部領域の空隙中に押込む最終細束先端押込み工程を行う。
【０１３７】
ＩＸ．［かご差しの第２半差し編み込み工程］
第２細束の各細束ストランド１ｄ〜６ｄを第３細束の細束ストランド１ｅ〜６ｅと第４細束の細束ストランド１ｆ〜６ｆの２組に分けて、第３細束１ｅ〜６ｅの先端を切断し、その先端をワイヤロープの撚りストランドＡ〜Ｆの中心の編込み収納部における芯部領域の空隙中１１ｂに押込むと共に、第４細束の細束ストランド１ｆ〜６ｆをワイヤロープの撚られた各ストランドの間にワイヤロープの撚り方向と逆の方向に差し込んでワイヤロープ周面から突出させる編み込み作業のかご差しを行う第２半差し編み込み工程を行う。
【０１３８】
すなわち、第３細束の細束ストランド１ｅ〜６ｅの先端を切断し、その先端部分をワイヤロープの撚りストランドＡ〜Ｆの中心の芯部領域の空隙中１１ｂに押込む作業と、第４細束の細束ストランド１ｆ〜６ｆの２回目のかご差し方法による作業が行われる（図６（ａ）及び図６（ｂ）参照）。図６（ａ）を基に詳説する。
【０１３９】
（１）例えば、図６（ａ）及び図６（ｂ）に示すように、第３細束の細束ストランド１ｅ〜６ｅを束ねて根元をテーピングし、その後、第３細束の細束ストランド１ｅ〜６ｅの先端を切断して第３細束の細束ストランド１ｅ〜６ｅの先端部分を芯部領域の空隙１１ｂ内に差し込む。テーピングにより第３細束の細束ストランドを確実に編込み収納部における芯部領域の空隙１１ｂ中に収納でき、更には、第３細束先端がバラバラになって芯部領域の空隙１１ｂの周壁間隙から突出しないようにしている。以下のテーピングの作用は前述したことと同様である。なお、第３細束の切断とテーピングの作業順序はどちらを先に行ってもよい。
【０１４０】
（２）図６（ａ）に示すように、第４細束の細束ストランド１ｆをワイヤロープ１１の本線１１ａ側の撚りストランドＡ・Ｂの間から挿入して撚りストランドＥ・Ｆの間を抜く。
【０１４１】
（３）第４細束の細束ストランド２ｆをワイヤロープ１１の本線１１ａ側の撚りストランドＢ・Ｃの間から挿入して撚りストランドＡ・Ｆの間を抜く。
【０１４２】
（４）第４細束の細束ストランド３ｆをワイヤロープ１１の本線１１ａ側の撚りストランドＣ・Ｄの間から挿入して撚りストランドＡ・Ｂの間を抜く。
【０１４３】
（５）第４細束の細束ストランド４ｆをワイヤロープ１１の本線１１ａ側の撚りストランドＤ・Ｅの間から挿入して撚りストランドＢ・Ｃの間を抜く。
【０１４４】
（６）第４細束の細束ストランド５ｆをワイヤロープ１１の本線１１ａ側の撚りストランドＥ・Ｆの間から挿入して撚りストランドＣ・Ｄの間を抜く。
【０１４５】
（７）第４細束の細束ストランド６ｆをワイヤロープ１１の本線１１ａ側の撚りストランドＡ・Ｆの間から挿入して撚りストランドＤ・Ｅの間を抜く。
【０１４６】
以上で第３細束の細束ストランド１ｅ〜６ｅは、各先端を切断しその先端部分を撚りストランドＡ〜Ｆの芯部領域の空隙１１ｂ中に押込み、更に、第４細束の細束ストランド１ｆ〜６ｆは、かご差しの各方法による撚りストランドＡ〜Ｆへの２回目の挿通作業が完了する。このようにワイヤーロープの撚りストランドに細束ストランドを編み込むことで編込み収納部が形成されることとなる。
【０１４７】
Ｘ.［かご差しの第３半差し編み込み工程］
前記第２半差し編み込み工程の後に、第４細束の細束ストランド１ｆ〜６ｆを第５細束の細束ストランド１ｇ〜６ｇと第６細束の細束ストランド１ｈ〜６ｈの２組に分け、第５細束の細束ストランド１ｇ〜６ｇの先端を切断し、その先端部分をワイヤロープの撚りストランドＡ〜Ｆの中心の編込み収納部における芯部領域の空隙中１１ｂに押込むと共に、第６細束の細束ストランド１ｈ〜６ｈをワイヤロープの撚られた各ストランドＡ〜Ｆの間にワイヤロープの撚り方向と逆の方向に差し込んでワイヤロープ周面から突出させる編み込み作業のかご差しを行う第３半差し編み込み工程を行う。
【０１４８】
すなわち、第５細束の細束ストランド１ｇ〜６ｇの先端を切断し、その先端をワイヤロープの撚りストランドＡ〜Ｆの中心の芯部領域の空隙中１１ｂに押込む作業と、第６細束の細束ストランド１ｈ〜６ｈの３回目のかご差し方法による作業が行われる（図７（ａ）及び図７（ｂ）参照）。図７を基に詳説する。
【０１４９】
（１）例えば、図７（ａ）及び図７（ｂ）に示すように、第５細束の細束ストランド１ｇ〜６ｇの根元をテーピングし、その後、第５細束の細束ストランド１ｇ〜６ｇの先端を切断してその先端部分を芯部領域の空隙１１ｂ内に差し込む。テーピングに関しては前述のかご差しの第２半差し編み込み工程で説明したことと同様である。
【０１５０】
（２）図７（ａ）に示すように、第６細束の細束ストランド１ｈをワイヤロープ１１の本線１１ａ側の撚りストランドＤ・Ｅの間から挿入して撚りストランドＢ・Ｃの間を抜く。
【０１５１】
（３）第６細束の細束ストランド２ｈをワイヤロープ１１の本線１１ａ側の撚りストランドＥ・Ｆの間から挿入して撚りストランドＣ・Ｄの間を抜く。
【０１５２】
（４）第６細束の細束ストランド３ｈをワイヤロープ１１の本線１１ａ側の撚りストランドＡ・Ｆの間から挿入して撚りストランドＤ・Ｅの間を抜く。
【０１５３】
（５）第６細束の細束ストランド４ｈをワイヤロープ１１の本線１１ａ側の撚りストランドＡ・Ｂの間から挿入して撚りストランドＥ・Ｆの間を抜く。
【０１５４】
（６）第６細束の細束ストランド５ｈをワイヤロープ１１の本線１１ａ側の撚りストランドＢ・Ｃの間から挿入して撚りストランドＡ・Ｆの間を抜く。
【０１５５】
（７）第６細束の細束ストランド６ｈをワイヤロープ１１の本線１１ａ側の撚りストランドＣ・Ｄの間から挿入して撚りストランドＡ・Ｂの間を抜く。
【０１５６】
以上で第５細束の細束ストランド１ｇ〜６ｇは、各先端を切断しその先端を撚りストランドＡ〜Ｆの芯部領域の空隙１１ｂ中に押込み、更に、第６細束の細束ストランド１ｈ〜６ｈは、かご差しの各方法による撚りストランドＡ〜Ｆへの３回目の挿通作業が完了する。このようにワイヤーロープの撚りストランドに細束ストランドを編み込むことで編込み収納部が形成されることとなる。
【０１５７】
ＸＩ.［最終細束先端押込み工程］
第３半差し編み込み工程の後に、第６細束の細束ストランド１ｈ〜６ｈの先端を切断し、その先端をワイヤロープの撚りストランドＡ〜Ｆの中心の芯部領域の空隙中１１ｂに押込む最終細束先端押込み工程を行う。
【０１５８】
すなわち、第６細束の細束ストランド１ｈ〜６ｈの先端を切断し、その先端の切断部分をワイヤロープの撚りストランドＡ〜Ｆの中心の芯部領域の空隙中１１ｂに押込む作業が行われる。図８を基に詳説する。
【０１５９】
例えば、図８に示すように、第６細束の細束ストランド１ｈ〜６ｈを２組毎に束ねて根元をテーピングし、その後、第６細束の細束ストランド１ｈ〜６ｈの先端を切断してテーピング束ストランドの先端部分を編込み収納部における芯部領域の空隙１１ｂ内に差し込む。そして、外部に引出していた心綱７を芯部領域の空隙１１ｂに戻す。なお、図８で説明した６組の第６細束の細束ストランド１ｈ〜６ｈを２本ずつ束ねて芯部領域の空隙１１ｂに収めるようにしたが、６組の第６細束の細束ストランドをばらばらの状態で芯部領域の空隙１１ｂに収めるようにしてもよし、また、６組の第６細束の細束ストランドを３本ずつ束ねて芯部領域の空隙１１ｂに収めるようにしてもよし、更に、６組の第６細束の細束ストランドを１つに束ねて芯部領域の空隙１１ｂに収めるようにしてもよい。
【０１６０】
以上のＩ〜ＸＩの各工程を経て、トゲなしのワイヤロープ玉掛索が完成する。
【０１６１】
［第２実施形態］
本発明の第２実施形態のトゲのないワイヤロープの玉掛索製造方法は、束ストランド形成工程と、準備差し込み工程と、巻差しの第１編み込み工程と、かご差しの第１編み込み工程と、細束ストランド形成工程と、内層線としての第１細束切断工程と、内層線としての第１細束先端押込み工程と、かご差しの第１半差し編み込み工程と、かご差しの第２半差し編み込み工程と、かご差しの第３半差し編み込み工程と、最終細束先端押込み工程とよりなる。
【０１６２】
なお、本願発明の第２実施形態のトゲのないワイヤロープの玉掛索製造方法は、上述した第１実施形態の玉掛索製造方法におけるＩ.束ストランド形成工程〜ＩＶ.かご差しの第１編み込み工程まで同様に行い、その後の各工程が次のように異なる。すなわち、各工程は、Ｖ−ａ.細束ストランド形成工程と、ＶＩ−ａ.内層線としての第１細束切断工程と、ＶＩＩ−ａ.内層線としての第１細束先端押込み工程と、ＶＩＩＩ−ａ.かご差しの第１半差し編み込み工程と、ＩＸ−ａ.かご差しの第２半差し編み込み工程と、Ｘ−ａ．かご差しの第３半差し編み込み工程と、ＸＩ−ａ．最終細束先端押込み工程とにおいて異なることとなる。
【０１６３】
本願発明の第２実施形態の玉掛索製造方法における束ストランド形成工程〜かご差しの第１編み込み工程までの説明については、上述した第１実施形態の玉掛索製造方法のＩ．束ストランド形成工程〜ＩＶ．かご差しの第１編み込み工程と同一であり重複説明を省略する。なお、第２実施形態においては、第１細束を内層線とし、第２細束〜第６細束を外層線として説明を行う。
【０１６４】
Ｖ−ａ．［細束ストランド形成工程］
以上で６組の束ストランド１〜６は、３回のかご差し、１回の巻差しの各方法による撚りストランドＡ〜Ｆへの挿通作業が完了する。そして、束ストランド１〜６の各突出端を第１細束としての内層線の細束ストランド１ａ〜６ａと、第２細束としての外層線の細束ストランド１ｂ〜６ｂとに分別する細束ストランド形成工程を行う（図１１（ａ）及び図１１（ｂ）参照）。一般にストランド単体を構成する複合線は、内外層線の多層線よりなり、これらを内層線、外層線と称しており、ここでは、これら内外層線に分別する作業を行う。
【０１６５】
ＶＩ−ａ．［内層線としての第１細束切断工程］
６組の束ストランド１〜６の内層線の細束ストランド１ａ〜６ａと各束ストランド１〜６内の細心綱８，・・，８は、ワイヤロープ表面の位置で切断する内層線としての第１細束切断工程を行い、６組の外層線、すなわち６組の細束ストランド１ｂ〜６ｂを残す（図１１（ａ）、図１１（ｂ）、図２４及び図２５参照）。このとき、撚りストランドＡ〜Ｆ間から心綱７を引き出し切断（図２６参照）して、同撚りストランドＡ〜Ｆの中心部の心綱７の一部を抜いた箇所に芯部領域の空隙１１ｂを形成する。
【０１６６】
ＶＩＩ−ａ．［内層線としての第１細束先端押込み工程］
切断された６組の細束ストランド１ａ〜６ａと細心綱８，・・，８の先端切断部分、いわゆる内層線トゲ６本は、撚りストランドＡ〜Ｆの中心部の心綱７の一部を抜いて生じた芯部領域の空隙１１ｂ中に押し込む内層線としての第１細束先端押込み工程を行う。
【０１６７】
ＶＩＩＩ−ａ．［かご差しの第１半差し編み込み工程］
突出したままのかかる外層線の細束ストランド１ｂ〜６ｂは、半差しによるかご差し方法による作業で撚りストランドＡ〜Ｆ間に挿通するかご差しの第１半差し編み込み工程を行う。すなわち、図１１（ａ）に示すように１組目〜６組目の外層線の細束ストランド１ｂ〜６ｂは、所定の撚りストランドＡ〜Ｆ間に、撚りと逆方向に巻回しながら挿通する。
【０１６８】
（１）例えば、図１１（ａ）に示すように、１組目の外層線の細束ストランド１ｂをワイヤロープ１１の本線１１ａ側の撚りストランドＤ・Ｅの間から挿入して撚りストランドＢ・Ｃの間を抜く。
【０１６９】
（２）２組目の外層線の細束ストランド２ｂをワイヤロープ１１の本線１１ａ側の撚りストランドＥ・Ｆの間から挿入して撚りストランドＣ・Ｄの間を抜く。
【０１７０】
（３）３組目の外層線の細束ストランド３ｂをワイヤロープ１１の本線１１ａ側の撚りストランドＡ・Ｆの間から挿入して撚りストランドＤ・Ｅの間を抜く。
【０１７１】
（４）４組目の外層線の細束ストランド４ｂをワイヤロープ１１の本線１１ａ側の撚りストランドＡ・Ｂの間から挿入して撚りストランドＥ・Ｆの間を抜く。
【０１７２】
（５）５組目の外層線の細束ストランド５ｂをワイヤロープ１１の本線１１ａ側の撚りストランドＢ・Ｃの間から挿入して撚りストランドＡ・Ｆの間を抜く。
【０１７３】
（６）６組目の外層線の細束ストランド６ｂをワイヤロープ１１の本線１１ａ側の撚りストランドＣ・Ｄの間から挿入して撚りストランドＡ・Ｂの間を抜く。
【０１７４】
以上で６組の外層線の細束ストランド１ｂ〜６ｂは、かご差しの方法による撚りストランドＡ〜Ｆへの１回目の挿通作業が完了する。このようにワイヤーロープの撚りストランドに細束ストランドを編み込むことで編込み収納部が形成されることとなる。前記第１半差し編み込み工程の後に、更に複数回の半差し編み込み工程を行い最終的に切断した最終細束先端を芯部領域の空隙中に押込む最終細束先端押込み工程を行う。
【０１７５】
ＩＸ−ａ．［かご差しの第２半差し編み込み工程］
外層線の第２細束の細束ストランド１ｂ〜６ｂを第３細束の細束ストランド１ｊ〜６ｊと第４細束の細束ストランド１ｋ〜６ｋの２組に分けて、第３細束１ｊ〜６ｊの先端を切断し、その先端部分をワイヤロープの撚りストランドＡ〜Ｆの中心の編込み収納部における芯部領域の空隙中１１ｂに押込むと共に、第４細束の細束ストランド１ｋ〜６ｋをワイヤロープの撚られた各ストランドの間にワイヤロープの撚り方向と逆の方向に差し込んでワイヤロープ周面から突出させる編み込み作業のかご差しを行う第２半差し編み込み工程を行う。
【０１７６】
すなわち、外層線の第３細束の細束ストランド１ｊ〜６ｊの先端を切断し、その先端部分をワイヤロープの撚りストランドＡ〜Ｆの中心の芯部領域の空隙中１１ｂに押込む作業と、第４細束の細束ストランド１ｋ〜６ｋの２回目のかご差し方法による作業が行われる（図１２（ａ）及び図１２（ｂ）参照）。図１２を基に詳説する。
【０１７７】
（１）例えば、図１２（ａ）及び図１２（ｂ）に示すように、外層線の第３細束の細束ストランド１ｊ〜６ｊの根元をテーピングし、その後、第３細束の細束ストランド１ｊ〜６ｊの先端を切断して第３細束の細束ストランド１ｊ〜６ｊの先端部分を芯部領域の空隙１１ｂ内に差し込む。
【０１７８】
（２）図１２（ａ）に示すように、外層線の第４細束の細束ストランド１ｋをワイヤロープ１１の本線１１ａ側の撚りストランドＡ・Ｂの間から挿入して撚りストランドＥ・Ｆの間を抜く。
【０１７９】
（３）外層線の第４細束の細束ストランド２ｋをワイヤロープ１１の本線１１ａ側の撚りストランドＢ・Ｃの間から挿入して撚りストランドＡ・Ｆの間を抜く。
【０１８０】
（４）外層線の第４細束の細束ストランド３ｋをワイヤロープ１１の本線１１ａ側の撚りストランドＣ・Ｄの間から挿入して撚りストランドＡ・Ｂの間を抜く。
【０１８１】
（５）外層線の第４細束の細束ストランド４ｋをワイヤロープ１１の本線１１ａ側の撚りストランドＤ・Ｅの間から挿入して撚りストランドＢ・Ｃの間を抜く。
【０１８２】
（６）外層線の第４細束の細束ストランド５ｋをワイヤロープ１１の本線１１ａ側の撚りストランドＥ・Ｆの間から挿入して撚りストランドＣ・Ｄの間を抜く。
【０１８３】
（７）外層線の第４細束の細束ストランド６ｋをワイヤロープ１１の本線１１ａ側の撚りストランドＡ・Ｆの間から挿入して撚りストランドＤ・Ｅの間を抜く。
【０１８４】
以上で外層線の第３細束の細束ストランド１ｊ〜６ｊは、各先端を切断しその先端部分を撚りストランドＡ〜Ｆの芯部領域の空隙１１ｂ中に押込み、更に、外層線の第４細束の細束ストランド１ｋ〜６ｋは、かご差しの各方法による撚りストランドＡ〜Ｆへの２回目の挿通作業が完了する。このようにワイヤーロープの撚りストランドに細束ストランドを編み込むことで編込み収納部が形成されることとなる。
【０１８５】
Ｘ−ａ.［かご差しの第３半差し編み込み工程］
前記第２半差し編み込み工程の後に、外層線の第４細束の細束ストランド１ｋ〜６ｋを第５細束の細束ストランド１ｍ〜６ｍと第６細束の細束ストランド１ｎ〜６ｎの２組に分け、第５細束の細束ストランド１ｍ〜６ｍの先端を切断し、その先端をワイヤロープの撚りストランドＡ〜Ｆの中心の編込み収納部における芯部領域の空隙中１１ｂに押込むと共に、第６細束の細束ストランド１ｎ〜６ｎをワイヤロープの撚られた各ストランドＡ〜Ｆの間にワイヤロープの撚り方向と逆の方向に差し込んでワイヤロープ周面から突出させる編み込み作業のかご差しを行う第３半差し編み込み工程を行う。
【０１８６】
すなわち、外層線の第５細束の細束ストランド１ｍ〜６ｍの先端を切断し、その先端部分をワイヤロープの撚りストランドＡ〜Ｆの中心の芯部領域の空隙中１１ｂに押込む作業と、外層線の第６細束の細束ストランド１ｎ〜６ｎの３回目のかご差し方法による作業が行われる（図１３（ａ）及び図１３（ｂ）参照）。図１３を基に詳説する。
【０１８７】
（１）例えば、図１３（ａ）及び図１３（ｂ）に示すように、外層線の第５細束の細束ストランド１ｍ〜６ｍの根元をテーピングし、その後、第５細束の細束ストランド１ｍ〜６ｍの先端を切断してその先端部分を芯部領域の空隙１１ｂ内に差し込む。
【０１８８】
（２）図１３（ａ）に示すように、外層線の第６細束の細束ストランド１ｎをワイヤロープ１１の本線１１ａ側の撚りストランドＤ・Ｅの間から挿入して撚りストランドＢ・Ｃの間を抜く。
【０１８９】
（３）外層線の第６細束の細束ストランド２ｎをワイヤロープ１１の本線１１ａ側の撚りストランドＥ・Ｆの間から挿入して撚りストランドＣ・Ｄの間を抜く。
【０１９０】
（４）外層線の第６細束の細束ストランド３ｎをワイヤロープ１１の本線１１ａ側の撚りストランドＡ・Ｆの間から挿入して撚りストランドＤ・Ｅの間を抜く。
【０１９１】
（５）外層線の第６細束の細束ストランド４ｎをワイヤロープ１１の本線１１ａ側の撚りストランドＡ・Ｂの間から挿入して撚りストランドＥ・Ｆの間を抜く。
【０１９２】
（６）外層線の第６細束の細束ストランド５ｎをワイヤロープ１１の本線１１ａ側の撚りストランドＢ・Ｃの間から挿入して撚りストランドＡ・Ｆの間を抜く。
【０１９３】
（７）外層線の第６細束の細束ストランド６ｎをワイヤロープ１１の本線１１ａ側の撚りストランドＣ・Ｄの間から挿入して撚りストランドＡ・Ｂの間を抜く。
【０１９４】
以上で外層線の第５細束の細束ストランド１ｍ〜６ｍは、各先端を切断しその先端を撚りストランドＡ〜Ｆの芯部領域の空隙１１ｂ中に押込み、更に、外層線の第６細束の細束ストランド１ｎ〜６ｎは、かご差しの各方法による撚りストランドＡ〜Ｆへの３回目の挿通作業が完了する。このようにワイヤーロープの撚りストランドに細束ストランドを編み込むことで編込み収納部が形成されることとなる。
【０１９５】
ＸＩ−ａ.［最終細束先端押込み工程］
前記第３半差し編み込み工程の後に、外層線の第６細束の細束ストランド１ｎ〜６ｎの先端を切断し、その先端をワイヤロープの撚りストランドＡ〜Ｆの中心の芯部領域の空隙中１１ｂに押込む最終細束先端押込み工程を行う。
【０１９６】
すなわち、外層線の第６細束の細束ストランド１ｎ〜６ｎの先端を切断し、その先端の切断部分をワイヤロープの撚りストランドＡ〜Ｆの中心の芯部領域の空隙中１１ｂに押込む作業が行われる。図１４を基に詳説する。
【０１９７】
例えば、図１４に示すように、外層線の第６細束の細束ストランド１ｎ〜６ｎを２組毎に束ねて根元をテーピングし、その後、第６細束の細束ストランド１ｎ〜６ｎの先端を切断してテーピング束ストランドの先端部分を編込み収納部における芯部領域の空隙１１ｂ内に差し込む。そして、外部に引出していた心綱７を芯部領域の空隙１１ｂに戻す。なお、図１４で説明した６組の第６細束の細束ストランド１ｎ〜６ｎを２本ずつ束ねて芯部領域の空隙１１ｂに収めるようにしたが、６組の第６細束の細束ストランドをばらばらの状態で芯部領域の空隙１１ｂに収めるようにしてもよし、また、６組の第６細束の細束ストランドを３本ずつ束ねて芯部領域の空隙１１ｂに収めるようにしてもよし、更に、６組の第６細束の細束ストランドを１つに束ねて芯部領域の空隙１１ｂに収めるようにしてもよい。
【０１９８】
以上のＩ〜ＩＶ、Ｖ−ａ〜ＸＩ−ａの各工程を経て、トゲなしのワイヤロープ玉掛索が完成する。
【０１９９】
［第３実施形態］
本発明の第３実施形態のトゲのないワイヤロープの玉掛索製造方法は、束ストランド形成工程と、準備差し込み工程と、巻差しの第１編み込み工程と、かご差しの第１編み込み工程と、細束ストランド形成工程と、外層線としての第１細束切断工程と、外層線としての第１細束先端押込み工程と、かご差しの第１半差し編み込み工程と、かご差しの第２半差し編み込み工程と、かご差しの第３半差し編み込み工程と、最終細束先端押込み工程とよりなる。
【０２００】
なお、本願発明の第３実施形態のトゲのないワイヤロープの玉掛索製造方法は、上述した第１実施形態の玉掛索製造方法におけるＩ．束ストランド形成工程〜ＩＶ．かご差しの第１編み込み工程までを同等に行い、さらに第２実施形態の玉掛索製造方法におけるＶ−ａ.細束ストランド形成工程を同様に行い、その後の各工程が次ぎのように異なる。すなわち、各工程は、ＶＩ−ｂ.外層線としての第１細束切断工程と、ＶＩＩ−ｂ.外層線としての第１細束先端押込み工程と、ＶＩＩＩ−ｂ.かご差しの第１半差し編み込み工程と、ＩＸ−ｂ.かご差しの第２半差し編み込み工程と、Ｘ−ｂ．かご差しの第３半差し編み込み工程と、ＸＩ−ｂ．最終細束先端押込み工程とにおいて異なることとなる。
【０２０１】
すなわち、以下の第３実施形態では、上記第２実施形態の内層線と外層線との押し込み工程の順序を逆にして、先に外層線の細束ストランド１ｂ〜６ｂを切断し、芯部領域の空隙１１ｂに押し込み、その後に、複数回の内層線のかご差しの半差し編み込み工程を行い、最終的に切断した最終細束先端を芯部領域の空隙中に押込む最終細束先端押込み工程を行うようにした。
【０２０２】
本願発明の第３実施形態の玉掛索製造方法における束ストランド形成工程〜細束ストランド形成工程までの説明については、上述した第１実施形態の玉掛索製造方法のＩ．束ストランド形成工程〜ＩＶ．かご差しの第１編み込み工程及び第２実施形態の玉掛索製造方法のＶ−ａ.細束ストランド形成工程と同一であり重複説明を省略する。なお、第３実施形態においては、第１細束を外層線とし、第２細束を内層線として説明を行う。
【０２０３】
ＶＩ−ｂ．［外層線としての第１細束切断工程］
６組の束ストランド１〜６の外層線の細束ストランド１ｂ〜６ｂと各束ストランド１〜６内の細心綱８，・・，８は、ワイヤロープ表面の位置で切断する外層線としての第１細束切断工程を行い、６組の内層線、すなわち６組の細束ストランド１ａ〜６ａを残す（図１５（ａ）、図１５（ｂ）、図２４及び図２５参照）。このとき、撚りストランドＡ〜Ｆ間から心綱７を引き出し切断（図２６参照）して、同撚りストランドＡ〜Ｆの中心部の心綱７の一部を抜いた箇所に芯部領域の空隙１１ｂを形成する。
【０２０４】
ＶＩＩ−ｂ．［外層線としての第１細束先端押込み工程］
切断された６組の細束ストランド１ｂ〜６ｂと各束ストランド１〜６内の細心綱８，・・，８の先端切断部分、いわゆる外層線トゲ６本は、撚りストランドＡ〜Ｆの中心部の心綱７の一部を抜いて生じた芯部領域の空隙１１ｂ中に押し込む外層線としての第１細束先端押込み工程を行う。このとき束ストランドが芯部領域の周囲を囲繞した編込み収納部により、ストランド切断先端部たるトゲを包み込んだ状態となる。
【０２０５】
ＶＩＩＩ−ｂ．［かご差しの第１半差し編み込み工程］
突出したままのかかる内層線の細束ストランド１ａ〜６ａは、半差しによるかご差し方法による作業で撚りストランドＡ〜Ｆ間に挿通するかご差しの第１半差し編み込み工程を行う。すなわち、図１５（ａ）に示すように１組目〜６組目の内層線の細束ストランド１ａ〜６ａは、所定の撚りストランドＡ〜Ｆ間に、撚り方向と逆の方向に巻回しながら挿通する。
【０２０６】
（１）例えば、図１５（ａ）に示すように、１組目の内層線の細束ストランド１ａをワイヤロープ１１の本線１１ａ側の撚りストランドＤ・Ｅの間から挿入して撚りストランドＢ・Ｃの間を抜く。
【０２０７】
（２）２組目の内層線の細束ストランド２ａをワイヤロープ１１の本線１１ａ側の撚りストランドＥ・Ｆの間から挿入して撚りストランドＣ・Ｄの間を抜く。
【０２０８】
（３）３組目の内層線の細束ストランド３ａをワイヤロープ１１の本線１１ａ側の撚りストランドＡ・Ｆの間から挿入して撚りストランドＤ・Ｅの間を抜く。
【０２０９】
（４）４組目の内層線の細束ストランド４ａをワイヤロープ１１の本線１１ａ側の撚りストランドＡ・Ｂの間から挿入して撚りストランドＥ・Ｆの間を抜く。
【０２１０】
（５）５組目の内層線の細束ストランド５ａをワイヤロープ１１の本線１１ａ側の撚りストランドＢ・Ｃの間から挿入して撚りストランドＡ・Ｆの間を抜く。
【０２１１】
（６）６組目の内層線の細束ストランド６ａをワイヤロープ１１の本線１１ａ側の撚りストランドＣ・Ｄの間から挿入して撚りストランドＡ・Ｂの間を抜く。
【０２１２】
以上で６組の内層線の細束ストランド１ａ〜６ａは、かご差しの方法による撚りストランドＡ〜Ｆへの１回目の挿通作業が完了する。このようにワイヤーロープの撚りストランドに細束ストランドを編み込むことで編込み収納部が形成されることとなる。前記第１半差し編み込み工程の後に、更に複数回の半差し編み込み工程を行い最終的に切断した最終細束先端を芯部領域の空隙中に押込む最終細束先端押込み工程を行う。
【０２１３】
ＩＸ−ｂ．［かご差しの第２半差し編み込み工程］
内層線の第２細束の細束ストランド１ａ〜６ａを第３細束の細束ストランド１ｐ〜６ｐと第４細束の細束ストランド１ｑ〜６ｑの２組に分けて、第３細束１ｐ〜６ｐの先端を切断し、その先端部分をワイヤロープの撚りストランドＡ〜Ｆの中心の編込み収納部における芯部領域の空隙中１１ｂに押込むと共に、第４細束の細束ストランド１ｑ〜６ｑをワイヤロープの撚られた各ストランドの間にワイヤロープの撚り方向と逆の方向に差し込んでワイヤロープ周面から突出させる編み込み作業のかご差しを行う第２半差し編み込み工程を行う。
【０２１４】
次に、内層線の第３細束の細束ストランド１ｐ〜６ｐの先端を切断し、その先端部分をワイヤロープの撚りストランドＡ〜Ｆの中心の芯部領域の空隙中１１ｂに押込む作業と、第４細束の細束ストランド１ｑ〜６ｑの２回目のかご差し方法による作業が行われる（図１６（ａ）及び図１６（ｂ）参照）。図１６を基に詳説する。
【０２１５】
（１）例えば、図１６（ａ）及び図１６（ｂ）に示すように、内層線の第３細束の細束ストランド１ｐ〜６ｐの根元をテーピングし、その後、第３細束の細束ストランド１ｐ〜６ｐの先端を切断して第３細束の細束ストランド１ｐ〜６ｐの先端部分を芯部領域の空隙１１ｂ内に差し込む。
【０２１６】
（２）図１６（ａ）に示すように、内層線の第４細束の細束ストランド１ｑをワイヤロープ１１の本線１１ａ側の撚りストランドＡ・Ｂの間から挿入して撚りストランドＥ・Ｆの間を抜く。
【０２１７】
（３）内層線の第４細束の細束ストランド２ｑをワイヤロープ１１の本線１１ａ側の撚りストランドＢ・Ｃの間から挿入して撚りストランドＡ・Ｆの間を抜く。
【０２１８】
（４）内層線の第４細束の細束ストランド３ｑをワイヤロープ１１の本線１１ａ側の撚りストランドＣ・Ｄの間から挿入して撚りストランドＡ・Ｂの間を抜く。
【０２１９】
（５）内層線の第４細束の細束ストランド４ｑをワイヤロープ１１の本線１１ａ側の撚りストランドＤ・Ｅの間から挿入して撚りストランドＢ・Ｃの間を抜く。
【０２２０】
（６）内層線の第４細束の細束ストランド５ｑをワイヤロープ１１の本線１１ａ側の撚りストランドＥ・Ｆの間から挿入して撚りストランドＣ・Ｄの間を抜く。
【０２２１】
（７）内層線の第４細束の細束ストランド６ｑをワイヤロープ１１の本線１１ａ側の撚りストランドＡ・Ｆの間から挿入して撚りストランドＤ・Ｅの間を抜く。
【０２２２】
以上で内層線の第３細束の細束ストランド１ｐ〜６ｐは、各先端を切断しその先端を撚りストランドＡ〜Ｆの芯部領域の空隙１１ｂ中に押込み、更に、内層線の第４細束の細束ストランド１ｑ〜６ｑは、かご差しの各方法による撚りストランドＡ〜Ｆへの２回目の挿通作業が完了する。このようにワイヤーロープの撚りストランドに細束ストランドを編み込むことで編込み収納部が形成されることとなる。
【０２２３】
Ｘ−ｂ.［かご差しの第３半差し編み込み工程］
前記第２半差し編み込み工程の後に、内層線の第４細束の細束ストランド１ｑ〜６ｑを第５細束の細束ストランド１ｒ〜６ｒと第６細束の細束ストランド１ｓ〜６ｓの２組に分け、第５細束の細束ストランド１ｒ〜６ｒの先端を切断し、その先端をワイヤロープの撚りストランドＡ〜Ｆの中心の編込み収納部における芯部領域の空隙中１１ｂに押込むと共に、第６細束の細束ストランド１ｓ〜６ｓをワイヤロープの撚られた各ストランドＡ〜Ｆの間にワイヤロープの撚り方向と逆の方向に差し込んでワイヤロープ周面から突出させる編み込み作業のかご差しを行う第３半差し編み込み工程を行う。
【０２２４】
すなわち、内層線の第５細束の細束ストランド１ｒ〜６ｒの先端を切断し、その先端をワイヤロープの撚りストランドＡ〜Ｆの中心の芯部領域の空隙中１１ｂに押込む作業と、内層線の第６細束の細束ストランド１ｓ〜６ｓの３回目のかご差し方法による作業が行われる（図１７（ａ）及び図１７（ｂ）参照）。図１７を基に詳説する。
【０２２５】
（１）例えば、図１７（ａ）及び図１７（ｂ）に示すように、内層線の第５細束の細束ストランド３ｒと細束ストランド４ｒを束ねて根元をテーピングし、その後、第５細束の細束ストランド３ｒと細束ストランド４ｒの先端を切断してテーピング束ストランドの先端部分を芯部領域の空隙１１ｂ内に差し込む。
【０２２６】
（２）図１７（ａ）に示すように、内層線の第６細束の細束ストランド１ｓをワイヤロープ１１の本線１１ａ側の撚りストランドＤ・Ｅの間から挿入して撚りストランドＢ・Ｃの間を抜く。
【０２２７】
（３）内層線の第６細束の細束ストランド２ｓをワイヤロープ１１の本線１１ａ側の撚りストランドＥ・Ｆの間から挿入して撚りストランドＣ・Ｄの間を抜く。
【０２２８】
（４）内層線の第６細束の細束ストランド３ｓをワイヤロープ１１の本線１１ａ側の撚りストランドＡ・Ｆの間から挿入して撚りストランドＤ・Ｅの間を抜く。
【０２２９】
（５）内層線の第６細束の細束ストランド４ｓをワイヤロープ１１の本線１１ａ側の撚りストランドＡ・Ｂの間から挿入して撚りストランドＥ・Ｆの間を抜く。
【０２３０】
（６）内層線の第６細束の細束ストランド５ｓをワイヤロープ１１の本線１１ａ側の撚りストランドＢ・Ｃの間から挿入して撚りストランドＡ・Ｆの間を抜く。
【０２３１】
（７）内層線の第６細束の細束ストランド６ｓをワイヤロープ１１の本線１１ａ側の撚りストランドＣ・Ｄの間から挿入して撚りストランドＡ・Ｂの間を抜く。
【０２３２】
以上で内層線の第５細束の細束ストランド１ｒ〜６ｒは、各先端を切断しその先端を撚りストランドＡ〜Ｆの芯部領域の空隙１１ｂ中に押込み、更に、内層線の第６細束の細束ストランド１ｓ〜６ｓは、かご差しの各方法による撚りストランドＡ〜Ｆへの３回目の挿通作業が完了する。このようにワイヤーロープの撚りストランドに細束ストランドを編み込むことで編込み収納部が形成されることとなる。
【０２３３】
ＸＩ−ｂ.［最終細束先端押込み工程］
前記第３半差し編み込み工程の後に、内層線の第６細束の細束ストランド１ｓ〜６ｓの先端を切断し、その先端をワイヤロープの撚りストランドＡ〜Ｆの中心の芯部領域の空隙中１１ｂに押込む最終細束先端押込み工程を行う。
【０２３４】
すなわち、内層線の第６細束の細束ストランド１ｓ〜６ｓの先端を切断し、その先端の切断部分をワイヤロープの撚りストランドＡ〜Ｆの中心の芯部領域の空隙中１１ｂに押込む作業が行われる。図１８を基に詳説する。
【０２３５】
例えば、図１８に示すように、内層線の第６細束の細束ストランド１ｓ〜６ｓを２組毎に束ねて根元をテーピングし、その後、第６細束の細束ストランド１ｓ〜６ｓの先端を切断してテーピング束ストランドの先端部分を編込み収納部における芯部領域の空隙１１ｂ内に差し込む。そして、外部に引出していた心綱７を芯部領域の空隙１１ｂに戻す。なお、図１８で説明した６組の第６細束の細束ストランド１ｓ〜６ｓを２本ずつ束ねて芯部領域の空隙１１ｂに収めるようにしたが、６組の第６細束の細束ストランドをばらばらの状態で芯部領域の空隙１１ｂに収めるようにしてもよし、また、６組の第６細束の細束ストランドを３本ずつ束ねて芯部領域の空隙１１ｂに収めるようにしてもよし、更に、６組の第６細束の細束ストランドを１つに束ねて芯部領域の空隙１１ｂに収めるようにしてもよい。
【０２３６】
以上のＩ〜ＩＶ、Ｖ−ａ、ＶＩ−ｂ〜ＸＩ−ｂの各工程を経て、トゲなしのワイヤロープ玉掛索が完成する。
【０２３７】
以下、変形例について説明する。
【０２３８】
［変形例１］
変形例１のトゲのないワイヤロープの玉掛索製造方法は、束ストランド形成工程と、準備差し込み工程と、３回の巻差しの第１編み込み工程と、１回の巻差しの第１編み込み工程と、細束ストランド形成工程と、第１細束切断工程と、第１細束先端押込み工程と、かご差しの第１半差し編み込み工程と、第２細束切断工程と、第２細束先端押込み工程とよりなる。
【０２３９】
なお、変形例１のトゲのないワイヤロープの玉掛索製造方法は、上述した第１実施形態の玉掛索製造方法におけるＩ．束ストランド形成工程、ＩＩ.準備作業工程、ＩＩＩ．巻差しの第１編み込み工程まで同様に行い、その後の各工程が次のように異なる。すなわち、各工程は、ＩＶ−ｃ．巻差しの第１編み込み工程と、Ｖ−ｃ．細束ストランド形成工程と、ＶＩ−ｃ.第１細束切断工程と、ＶＩＩ−ｃ.第１細束先端押込み工程と、ＶＩＩＩ−ｃ.かご差しの第１半差し編み込み工程と、ＩＸ−ｃ.第２細束切断工程と第２細束先端押込み工程とにおいて異なることとなる。
【０２４０】
変形例１の玉掛索製造方法における束ストランド形成工程〜細束ストランド形成工程までの説明については、上述した第１実施形態の玉掛索製造方法におけるI.束ストランド形成工程〜ＩＩＩ．巻差しの第１編み込み工程と同一であり重複説明を省略する。
【０２４１】
ＩＶ−ｃ．［巻差しの第１編み込み工程］
次いで、各組の束ストランド１〜６を「巻差し方法」による作業で撚りストランド間に挿通する。
【０２４２】
すなわち、ワイヤロープの撚り方向と同じ方向に巻いていく巻差し方法を１回のみ実施する巻差しの第１編み込み工程を行う。すなわち、第１実施形態におけるＩＩＩ．巻差しの第１編み込み工程と同じ手順（１）〜（６）で、巻差し方法による挿通作業が行われ、６組の束ストランド１〜６の巻差し方法による挿通作業が完了する（図１９参照）。
【０２４３】
Ｖ−ｃ．［細束ストランド形成工程］
以上で６組の束ストランド１〜６は、３回の巻差し、１回の巻差しの各方法による撚りストランドＡ〜Ｆへの挿通作業が完了する。そして、束ストランド１〜６の各突出端を更に２組の束に分割し、第１細束と第２細束とする。すなわち、第１細束の細束ストランド１ｃ〜６ｃと、第２細束の細束ストランド１ｄ〜６ｄとに２分割する細束ストランド形成工程を行う。
【０２４４】
ＶＩ−ｃ．［第１細束切断工程］
６組の束ストランド１〜６の第１細束の細束ストランド１ｃ〜６ｃは、ワイヤロープ表面の位置で切断する第１細束切断工程を行い、６組の第２細束、すなわち６組の細束ストランド１ｄ〜６ｄを残す（図２０参照）。このとき、撚りストランドＡ〜Ｆ間から心綱７を引き出し切断して、同撚りストランドＡ〜Ｆの中心部の心綱７の一部を抜いた箇所に芯部領域の空隙１１ｂを形成する。
【０２４５】
ＶＩＩ−ｃ．［第１細束先端押込み工程］
切断された６組の細束ストランドの先端切断部分、いわゆる第１細束トゲ６本は、撚りストランドＡ〜Ｆの中心部の心綱７の一部を抜いて生じた芯部領域の空隙１１ｂ中に押し込む第１細束先端押込み工程を行う。このとき束ストランドが芯部領域の周囲を囲繞した編込み収納部により、ストランド切断先端部たるトゲを包み込んだ状態となる。
【０２４６】
ＶＩＩＩ−ｃ．［かご差しの第１半差し編み込み工程］
突出したままのかかる第２細束の細束ストランド１ｄ〜６ｄは、半差しによるかご差し方法による作業で撚りストランドＡ〜Ｆ間に挿通するかご差しの第１半差し編み込み工程を行う。すなわち、１組目〜６組目の第２細束の細束ストランド１ｄ〜６ｄは、所定の撚りストランドＡ〜Ｆ間に、撚り方向と逆の方向に巻回しながら挿通する。
【０２４７】
（１）例えば、図２０に示すように、１組目の第２細束の細束ストランド１ｄをワイヤロープ１１の本線１１ａ側の撚りストランドＡ・Ｂの間から挿入して撚りストランドＥ・Ｆの間を抜く。
【０２４８】
（２）２組目の第２細束の細束ストランド２ｄをワイヤロープ１１の本線１１ａ側の撚りストランドＢ・Ｃの間から挿入して撚りストランドＡ・Ｆの間を抜く。
【０２４９】
（３）３組目の第２細束の細束ストランド３ｄをワイヤロープ１１の本線１１ａ側の撚りストランドＣ・Ｄの間から挿入して撚りストランドＡ・Ｂの間を抜く。
【０２５０】
（４）４組目の第２細束の細束ストランド４ｄをワイヤロープ１１の本線１１ａ側の撚りストランドＤ・Ｅの間から挿入して撚りストランドＢ・Ｃの間を抜く。
【０２５１】
（５）５組目の第２細束の細束ストランド５ｄをワイヤロープ１１の本線１１ａ側の撚りストランドＥ・Ｆの間から挿入して撚りストランドＣ・Ｄの間を抜く。
【０２５２】
（６）６組目の第２細束の細束ストランド６ｄをワイヤロープ１１の本線１１ａ側の撚りストランドＡ・Ｆの間から挿入して撚りストランドＤ・Ｅの間に抜く。
【０２５３】
以上で６組の第２細束の細束ストランド１ｄ〜６ｄは、かご差しの各方法による撚りストランドＡ〜Ｆへの１回目の挿通作業が完了する。
【０２５４】
次に、図２１に示すように、上記（１）〜（６）と同じ手順で６組の第２細束の細束ストランド１ｄ〜６ｄの２回目のかご差し方法による作業が行われる。
【０２５５】
そして、６組の第２細束の細束ストランド１ｄ〜６ｄは、かご差しの各方法による撚りストランドＡ〜Ｆへの２回目の挿通作業が完了する。このようにワイヤーロープの撚りストランドに細束ストランドを編み込むことで編込み収納部が形成されることとなる。
【０２５６】
以上の第１半差し編み込み工程において、半差しにおけるかご差し作業は２回行われるが、特に２回に限定されるものではなく２回以上であってもよい。
【０２５７】
ＩＸ−ｃ．［第２細束切断工程及び第２細束先端押込み工程］
２〜３回の巻差しの作業が終了するとワイヤロープ表面位置において突出した６組の第２細束の細束ストランド１ｄ〜６ｄを切断する第２細束切断工程を行う。切断した第２細束の切断部分は、撚りストランドＡ〜Ｆの芯部領域の空隙１１ｂ中に押込む第２細束先端押込み工程を行う。
【０２５８】
例えば、図２２に示すように、６組の第２細束の各細束ストランド１ｄ〜６ｄのうち２組ずつを束ねて根元をテーピングし、新たに３組のテーピングストランド束を形成し、その後、テーピングの先端から突出した細束ストランドを切断して３組のテーピング束ストランドの先端部分を編込み収納部における芯部領域の空隙１１ｂ内に差し込む。そして、外部に引出していた心綱７を芯部領域の空隙１１ｂに戻す。なお、図２２で説明した６組の第２細束の細束ストランド１ｄ〜６ｄを２本ずつ束ねて芯部領域の空隙１１ｂに収めるようにしたが、６組の第２細束の細束ストランドをばらばらの状態で芯部領域の空隙１１ｂに収めるようにしてもよし、また、６組の第２細束の細束ストランドを３本ずつ束ねて芯部領域の空隙１１ｂに収めるようにしたが、さらに、６組の第２細束の細束ストランドを１つに束ねて芯部領域の空隙１１ｂに収めるようにしてもよい。
【０２５９】
以上のＩ〜ＩＩＩ、ＩＶ−ｃ〜ＩＸ−ｃの各工程を経て、トゲなしのワイヤロープ玉掛索が完成する。
【０２６０】
なお、第１細束及び第２細束には、各束ストランドを形成している内層線、外層線を用いて、Ｖ−ｃ．細束ストランド形成工程以降の各工程の作業を行うことでトゲなしのワイヤロープ玉掛索を製造するようにしてもよい。
【０２６１】
なお、変形例１におけるＶＩＩＩ−ｃ．かご差しの第１半差し編み込み工程〜ＩＸ−ｃ．第２細束切断工程及び第２細束先端押込み工程までの作業に変えて、第１実施形態のＶＩＩＩ．かご差しの第１半差し編み込み工程〜ＸＩ．最終細束先端押込み工程までの作業を行うことにより、トゲなしのワイヤロープ玉掛索を製造するようにしてもよい。
【０２６２】
なお、上述した各実施形態におけるワイヤロープは、６本の束ストランド１〜６を用いて説明したが、６本に限定するものではなく、８本の束ストランドを撚ったワイヤーロープであってもよい。例えば、８本の束ストランドを２分割して８本の第１細束と８本の第２細束とし、一方の第１細束を切断してその先端を芯部領域の空隙１１ｂ中に押し込み、他方の８本の第２細束を編み込んだのち分割して、２本の第３細束と６本の第４細束とし、一方の第３細束を切断してその先端を芯部領域の空隙１１ｂ中に押し込み、他方の６本の第４細束を編み込んだのち分割して、３本の第５細束と３本の第６細束とし、一方の第５細束を切断してその先端を芯部領域の空隙１１ｂ中に押し込み、他方の３本の第６細束を編み込んだのちに切断してその先端を芯部領域の空隙１１ｂ中に押し込むようにしてもよい。
【０２６３】
第１細束から第６細束における分割した際の細束ストランドの本数については、半分に分割する必要はなく、適宜最適な本数の比の数量であればよい。
【符号の説明】
【０２６４】
Ａ〜Ｆ  撚りストランド
１〜６  束ストランド
１ａ〜６ａ  内層線の細束ストランド
１ｂ〜６ｂ  外層線の細束ストランド
１ｃ〜６ｃ  第１細束の細束ストランド
１ｄ〜６ｄ  第２細束の細束ストランド
７  心綱
１１  ワイヤロープ
【図１】
0005628545.tif 000002
【図２】
0005628545.tif 000003
【図３】
0005628545.tif 000004
【図４】
0005628545.tif 000005
【図５】
0005628545.tif 000006
【図６】
0005628545.tif 000007
【図７】
0005628545.tif 000008
【図８】
0005628545.tif 000009
【図９】
0005628545.tif 000010
【図１０】
0005628545.tif 000011
【図１１】
0005628545.tif 000012
【図１２】
0005628545.tif 000013
【図１３】
0005628545.tif 000014
【図１４】
0005628545.tif 000015
【図１５】
0005628545.tif 000016
【図１６】
0005628545.tif 000017
【図１７】
0005628545.tif 000018
【図１８】
0005628545.tif 000019
【図１９】
0005628545.tif 000020
【図２０】
0005628545.tif 000021
【図２１】
0005628545.tif 000022
【図２２】
0005628545.tif 000023
【図２３】
0005628545.tif 000024
【図２４】
0005628545.tif 000025
【図２５】
0005628545.tif 000026
【図２６】
0005628545.tif 000027
【図２７】
0005628545.tif 000028
【図２８】
0005628545.tif 000029